(57)【要約】  新無線（ＮＲ）ネットワークにおいてタイミングアドバンス（ＴＡ）オフセットを決定するために無線デバイスによって実行される方法が、関連するネットワークデバイスおよびシステムと共に本明細書に記載される。例示的な方法は、ＮＲネットワークのキャリア周波数がロングタームエボリューション（ＬＴＥ）ネットワークのキャリア周波数と共存しているか否かの指示を取得することと、ＮＲネットワークのキャリア周波数がＬＴＥネットワークのキャリア周波数と共存しているか否かに基づいて、アップリンク送信のためのＴＡオフセットを決定することと、決定されたＴＡオフセットを用いてアップリンク送信を送信することとを含む。【選択図】図３
2021503773.tif 000002
【特許請求の範囲】
【請求項１】
新無線（ＮＲ）ネットワークにおいてタイミングアドバンス（ＴＡ）オフセットを決定するために無線デバイスによって実行される方法であって、前記方法は、
前記ＮＲネットワークのキャリア周波数がロングタームエボリューション（ＬＴＥ）ネットワークのキャリア周波数と共存しているか否かの指示を取得することと、
前記ＮＲネットワークの前記キャリア周波数が前記ＬＴＥネットワークのキャリア周波数と共存しているか否かに基づいて、アップリンク送信のためのＴＡオフセットを決定することと、
前記決定されたＴＡオフセットを用いてアップリンク送信を送信することと、
を含む、方法。
【請求項２】
前記ＴＡオフセットは、前記ＬＴＥネットワークの前記キャリア周波数と共存する前記ＮＲネットワークの前記キャリア周波数の周波数帯域の複信モードに依拠する、請求項１に記載の方法。
【請求項３】
前記複信モードは、周波数分割複信（ＦＤＤ）または時分割複信（ＴＤＤ）のうちの一方である、請求項２に記載の方法。
【請求項４】
前記ＮＲネットワークの前記キャリア周波数が前記ＬＴＥネットワークの前記キャリア周波数と共存しているか否かの前記指示を取得することは、ネットワークノードからシグナリングを受信することを含む、請求項１に記載の方法。
【請求項５】
前記ＮＲネットワークのキャリア周波数がロングタームエボリューション（ＬＴＥ）ネットワークのキャリア周波数と共存しているか否かの指示を取得することは、ネットワークからシグナリングを受信することを含み、前記シグナリングは、明示的なＴＡオフセット値を含み、
前記ＴＡオフセットを決定することは、前記受信した明示的なＴＡオフセット値を用いることを含む、請求項１に記載の方法。
【請求項６】
前記ＮＲネットワークの前記キャリア周波数はＴＤＤネットワークではなく、前記ＴＡオフセットはゼロに等しい、請求項１に記載の方法。
【請求項７】
前記ＮＲネットワークの前記キャリア周波数はＴＤＤネットワークであり、前記ＮＲネットワークの前記キャリア周波数は閾値未満であり、前記ＮＲネットワークはＬＴＥネットワークと共存しておらず、前記ＴＡオフセットは、０よりも大きい第１の値に等しい、請求項１に記載の方法。
【請求項８】
前記閾値は６ＧＨｚであり、前記ＴＡオフセットは１３μｓである、請求項７に記載の方法。
【請求項９】
前記ＮＲネットワークはＴＤＤネットワークであり、前記ＮＲネットワークの前記キャリア周波数は閾値を上回っており、前記ＮＲネットワークはＬＴＥネットワークと共存しておらず、前記ＴＡオフセットは、０よりも大きい第２の値に等しい、請求項１に記載の方法。
【請求項１０】
前記ＮＲネットワークはＴＤＤネットワークであり、前記ＮＲネットワークの前記キャリア周波数は閾値未満であり、前記ＮＲネットワークはＬＴＥネットワークと共存しており、前記ＴＡオフセットは、０よりも大きい第３の値に等しい、請求項１に記載の方法。
【請求項１１】
前記閾値は６ＧＨｚであり、前記ＴＡオフセットは２０μｓである、請求項１０に記載の方法。
【請求項１２】
前記アップリンク送信は、前記ＮＲネットワークの前記キャリア周波数上でのセルへのランダムアクセスである、請求項１から１１のいずれか一項に記載の方法。
【請求項１３】
ＴＡオフセットは、アップリンク送信タイミングを、前記ＮＲネットワークの前記キャリア周波数に属するセルにおけるダウンリンク送信タイミングと関係付ける、請求項１から１１のいずれか一項に記載の方法。
【請求項１４】
ユーザデータを提供することと、
前記ユーザデータを、前記基地局への前記送信を介してホストコンピュータに転送することと、
を更に含む、請求項１から１１のいずれか一項に記載の方法。
【請求項１５】
新無線（ＮＲ）ネットワークにおいて無線デバイスにタイミングアドバンス（ＴＡ）オフセットをシグナリングするためにネットワークノードによって実行される方法であって、前記方法は、
前記ＮＲネットワークのキャリア周波数のためのタイミングアドバンス（ＴＡ）オフセットの指示を前記無線デバイスに送信することと、
前記指示されたＴＡオフセットを用いてアップリンク送信を受信することと、
を含む、方法。
【請求項１６】
前記ＴＡオフセットは、前記ＮＲネットワークの前記キャリア周波数がロングタームエボリューション（ＬＴＥ）ネットワークのキャリア周波数と共存しているか否かに依拠する、請求項１５に記載の方法。
【請求項１７】
前記ＴＡオフセットは、前記ＬＴＥネットワークの前記キャリア周波数と共存する前記ＮＲネットワークの前記キャリア周波数の周波数帯域の複信モードに依拠する、請求項１５または１６に記載の方法。
【請求項１８】
前記複信モードは、周波数分割複信（ＦＤＤ）および時分割複信（ＴＤＤ）のうちの一方である、請求項１７に記載の方法。
【請求項１９】
前記タイミングオフセットの前記指示は、時間量の明示的な指示を含む、請求項１５に記載の方法。
【請求項２０】
前記ＮＲネットワークはＴＤＤネットワークではなく、前記ＴＡオフセットはゼロに等しい、請求項１９に記載の方法。
【請求項２１】
前記ＮＲネットワークはＴＤＤネットワークであり、前記ＮＲネットワークの前記キャリア周波数は閾値未満であり、前記ＮＲネットワークはＬＴＥネットワークと共存しておらず、前記ＴＡオフセットは、０よりも大きい第１の値に等しい、請求項１９に記載の方法。
【請求項２２】
前記閾値は６ＧＨｚであり、前記ＴＡオフセットは１３μｓである、請求項２１に記載の方法。
【請求項２３】
前記ＮＲネットワークはＴＤＤネットワークであり、前記ＮＲネットワークの前記キャリア周波数は閾値を上回っており、前記ＮＲネットワークはＬＴＥネットワークと共存しておらず、前記ＴＡオフセットは、０よりも大きい第２の値に等しい、請求項１９に記載の方法。
【請求項２４】
前記閾値は６ＧＨｚであり、前記ＴＡオフセットは６μｓである、請求項２３に記載の方法。
【請求項２５】
前記ＮＲネットワークはＴＤＤネットワークであり、前記ＮＲネットワークの前記キャリア周波数は閾値を上回っており、前記ＮＲネットワークはＬＴＥネットワークと共存しており、前記ＴＡオフセットは、０よりも大きい第３の値に等しい、請求項１９に記載の方法。
【請求項２６】
前記閾値は６ＧＨｚであり、前記ＴＡオフセットは２０μｓである、請求項２５に記載の方法。
【請求項２７】
前記タイミングオフセットの前記指示は、前記ＮＲネットワークの前記キャリア周波数がＬＴＥネットワークと共存しているか否かの指示を含む、請求項１５に記載の方法。
【請求項２８】
ユーザデータを取得することと、
前記ユーザデータをホストコンピュータまたは無線デバイスに転送することを更に含む、前の実施形態のうちの任意のものに記載の方法。
【請求項２９】
前記アップリンク送信は、前記ＮＲネットワークの前記キャリア周波数上でのセルへのランダムアクセスである、請求項１５から２８のいずれか一項に記載の方法。
【請求項３０】
ＴＡオフセットは、アップリンク送信タイミングを、前記ＮＲネットワークの前記キャリア周波数に属するセルにおけるダウンリンク送信タイミングと関係付ける、請求項１５から２９のいずれか一項に記載の方法。
【請求項３１】
新無線（ＮＲ）ネットワークにおいてタイミングアドバンス（ＴＡ）オフセットを決定するための無線デバイスであって、前記無線デバイスは、
処理回路であって、
前記ＮＲネットワークが時分割複信（ＴＤＤ）ネットワークであるか否か、前記ＮＲネットワークのキャリア周波数、および前記ＮＲネットワークがロングタームエボリューション（ＬＴＥ）ネットワークと共存しているか否かの指示を取得することと、
前記ＮＲネットワークがＴＤＤネットワークであるか否か、前記ＮＲネットワークの前記キャリア周波数、および前記ＮＲネットワークがＬＴＥネットワークと共存しているか否かに基づいて、アップリンク送信のためのＴＡオフセットを決定することと、
前記決定されたＴＡオフセットを用いてアップリンク送信を送信することと、
を含む動作を実行するように設定される、処理回路と、
前記無線デバイスに電力を供給するように設定された電力供給回路と、
を備える、無線デバイス。
【請求項３２】
前記ＮＲネットワークが前記ＬＴＥネットワークと共存しているか否かの前記指示を取得することは、ネットワークノードからシグナリングを受信することを含む、請求項３１に記載の無線デバイス。
【請求項３３】
前記ＮＲネットワークがＴＤＤネットワークであるか否か、前記ＮＲネットワークの前記キャリア周波数、および前記ＮＲネットワークがＬＴＥネットワークと共存しているか否かを取得することは、ネットワークノードからシグナリングを受信することを含み、前記シグナリングは明示的なＴＡオフセット値を含み、
前記ＴＡオフセットを決定することは、前記受信した明示的なＴＡオフセット値を用いることを含む、請求項３１に記載の無線デバイス。
【請求項３４】
前記ＮＲネットワークはＴＤＤネットワークではなく、前記ＴＡオフセットはゼロに等しい、請求項３１に記載の無線デバイス。
【請求項３５】
前記ＮＲネットワークはＴＤＤネットワークであり、前記ＮＲネットワークの前記キャリア周波数は閾値未満であり、前記ＮＲネットワークはＬＴＥネットワークと共存しておらず、前記ＴＡオフセットは、０よりも大きい第１の値に等しい、請求項３１に記載の無線デバイス。
【請求項３６】
前記閾値は６ＧＨｚであり、前記ＴＡオフセットは６μｓである、請求項３５に記載の無線デバイス。
【請求項３７】
前記ＮＲネットワークはＴＤＤネットワークであり、前記ＮＲネットワークの前記キャリア周波数は閾値を上回っており、前記ＮＲネットワークはＬＴＥネットワークと共存しておらず、前記ＴＡオフセットは、０よりも大きい第２の値に等しい、請求項３１に記載の無線デバイス。
【請求項３８】
前記閾値は６ＧＨｚであり、前記ＴＡオフセットは１３μｓである、請求項３７に記載の無線デバイス。
【請求項３９】
前記ＮＲネットワークはＴＤＤネットワークであり、前記ＮＲネットワークの前記キャリア周波数は閾値を上回っており、前記ＮＲネットワークはＬＴＥネットワークと共存しており、前記ＴＡオフセットは、０よりも大きい第３の値に等しい、請求項３１に記載の無線デバイス。
【請求項４０】
前記閾値は６ＧＨｚであり、前記ＴＡオフセットは２０μｓである、請求項３９に記載の無線デバイス。
【請求項４１】
ユーザデータを提供することと、
前記ユーザデータを、前記基地局への前記送信を介してホストコンピュータに転送することと、
を更に含む、請求項３１から４０のいずれか一項に記載の方法。
【請求項４２】
新無線（ＮＲ）ネットワークにおいて無線デバイスにタイミングアドバンス（ＴＡ）オフセットをシグナリングするための基地局であって、前記基地局は、
処理回路であって、
タイミングオフセットの指示を前記無線デバイスに送信することと、
前記指示されたタイミングオフセットを用いてアップリンク送信を受信することと、
を含む動作を実行するように設定された処理回路と、
前記無線デバイスに電力を供給するように設定された電力供給回路と、
を備える、基地局。
【請求項４３】
前記タイミングオフセットの前記指示は、時間量の明示的な指示を含む、請求項４２に記載の基地局。
【請求項４４】
前記ＮＲネットワークはＴＤＤネットワークではなく、前記ＴＡオフセットはゼロに等しい、請求項４３に記載の基地局。
【請求項４５】
前記ＮＲネットワークはＴＤＤネットワークであり、前記ＮＲネットワークのキャリア周波数は閾値未満であり、前記ＮＲネットワークはＬＴＥネットワークと共存しておらず、前記ＴＡオフセットは、０よりも大きい第１の値に等しい、請求項４３に記載の基地局。
【請求項４６】
前記閾値は６ＧＨｚであり、前記ＴＡオフセットは６μｓである、請求項４５に記載の基地局。
【請求項４７】
前記ＮＲネットワークはＴＤＤネットワークであり、前記ＮＲネットワークのキャリア周波数は閾値を上回っており、前記ＮＲネットワークはＬＴＥネットワークと共存しておらず、前記ＴＡオフセットは、０よりも大きい第２の値に等しい、請求項４３に記載の基地局。
【請求項４８】
前記閾値は６ＧＨｚであり、前記ＴＡオフセットは１３μｓである、請求項４７に記載の基地局。
【請求項４９】
前記ＮＲネットワークはＴＤＤネットワークであり、前記ＮＲネットワークのキャリア周波数は閾値を上回っており、前記ＮＲネットワークはＬＴＥネットワークと共存しており、前記ＴＡオフセットは、０よりも大きい第３の値に等しい、請求項４３に記載の基地局。
【請求項５０】
前記閾値は６ＧＨｚであり、前記ＴＡオフセットは２０μｓである、請求項４９に記載の基地局。
【請求項５１】
前記タイミングオフセットの前記指示は、前記ＮＲネットワークがＬＴＥネットワークと共存しているか否かの指示を含む、請求項４２に記載の基地局。
【請求項５２】
ユーザデータを取得することと、
前記ユーザデータをホストコンピュータまたは無線デバイスに転送することと、
を更に含む、前の実施形態のうちの任意のものに記載の方法。
【発明の詳細な説明】
【技術分野】
【０００１】
関連出願
本出願は、参照により本明細書に援用される、２０１７年１１月１７日に出願された、「ＳＩＧＮＡＬＩＮＧＴＡ−ＯＦＦＳＥＴ  ＩＮ  ＮＲ」と題する米国仮特許出願第６２／５８８０３７号の利益を主張する。
【０００２】
本開示は、包括的には無線通信に関し、より詳細には、アップリンク通信とダウンリンク通信との間で変更する適切なタイミングを確保するためのシステムおよび方法に関する。
【背景技術】
【０００３】
ロングタームエボリューション（ＬＴＥ）において、ユーザ機器（ＵＥ）からの送信タイミングは、２つのパラメータ、すなわち、動的ＮＴＡおよび固定ＮＴＡ，ｏｆｆｓｅｔに基づく。これは、ダウンリンクタイミングとアップリンクタイミングとの間の時間オフセットを定義する。これについては、ＬＴＥに関して３６．２１１  ｖ１４．４．０セクション８に記載されている。ＮＲのためのダウンリンクフレームタイミングの１つの例は、無線フレームにおけるスロットのサブセットのみが送信されるＴＤＤに類似している。
【０００４】
図１に示すように、ＵＥからのアップリンク無線フレーム番号ｉの送信は、ＵＥにおける対応するダウンリンク無線フレームの開始の（ＮＴＡ＋ＮＴＡ  ｏｆｆｓｅｔ）×Ｔｓ秒前に開始する。ここで、ＵＥがＳＳＧを用いて設定される場合、０≦ＮＴＡ≦４０９６であり、そうでない場合、０≦ＮＴＡ≦２０５１２である。別段の指示がない限り、フレーム構造タイプ１の場合、ＮＴＡ  ｏｆｆｓｅｔ＝０であり、フレーム構造タイプ２の場合、ＮＴＡ  ｏｆｆｓｅｔ＝６２４である。無線フレーム内の全てのスロットを送信することができるわけではないことに留意されたい。
【０００５】
基地局における、セル内でアップリンク専用信号を送信する全てのＵＥからの受信アップリンクタイミングは、基地局に対する距離と無関係に、基地局が全てのＵＥからの信号を同じ受信機ＦＦＴプロセスにおいて変調するために概ね同じ時間で基地局に達するべきである。したがって、ＵＥからのアップリンクタイミングは、パラメータＮＴＡをＵＥにシグナリングするＴＡ（時間調節）コマンドを用いて基地局により制御される。パラメータは、接続モードでＭＡＣコマンドにおいてＵＥにシグナリングされ、ステップあたり約０．５μｓの粒度を有する（例えば、各ステップは１６Ｔｓであり、ここで、１Ｔｓ＝１／（１５０００＊２０４８）秒＝３２．５５ｎｓである）。１５ｋＨｚよりも広いサブキャリア間隔が用いられる場合、サイズに関して、ＮＲは、類似しているが、より細かい粒度のオプションを有する。
【発明の概要】
【０００６】
１つの一般的な態様は、ネットワークが時分割複信（ＴＤＤ）ネットワークであるか否か、ネットワークのキャリア周波数、およびネットワークがロングタームエボリューション（ＬＴＥ）ネットワークと共存しているか否かの指示を取得するステップを含む方法を含む。方法はまた、ネットワークがＴＤＤネットワークであるか否か、ネットワークのキャリア周波数、およびネットワークがＬＴＥネットワークと共存しているか否かに基づいて、アップリンク送信のためのＴＡオフセットを決定することを含む。方法はまた、決定されたＴＡオフセットを用いてアップリンク送信を送信することを含む。
【０００７】
実施は以下の特徴のうちの１つまたは複数を含むことができる。ＮＲネットワークがＬＴＥネットワークと共存しているか否かの指示を取得することは、ネットワークノードからシグナリングを受信することを含む、方法。ユーザデータを提供することと、ユーザデータを、基地局への送信を介してホストコンピュータに転送することとを更に含む、前述の請求項のいずれか一項に記載の方法。ユーザデータを提供することと、ユーザデータを、ホストコンピュータまたは無線デバイスに転送することを更に含む、上記の特徴のうちのいずれかの方法。ネットワークがＴＤＤネットワークであるか否か、ネットワークのキャリア周波数、およびネットワークがＬＴＥネットワークと共存しているか否かを取得することは、ネットワークノードからシグナリングを受信することを含み、シグナリングは明示的なＴＡオフセット値を含む、方法。方法はまた、ＴＡオフセットを決定することが、受信した明示的なＴＡオフセット値を用いることを含むことを含むことができる。ＮＲネットワークはＴＤＤネットワークではなく、ＴＡオフセットはゼロに等しい、方法。ＮＲネットワークはＴＤＤネットワークであり、ネットワークのキャリア周波数は閾値未満であり、ネットワークはＬＴＥネットワークと共存しておらず、ＴＡオフセットは、０よりも大きい第１の値に等しい、方法。閾値は６ＧＨｚであり、ＴＡオフセットは６μｓである、方法。ネットワークはＴＤＤネットワークであり、ネットワークのキャリア周波数は閾値を上回っており、ネットワークはＬＴＥネットワークと共存しておらず、ＴＡオフセットは、０よりも大きい第２の値に等しい、方法。閾値は６ＧＨｚであり、ＴＡオフセットは１３μｓである、方法。ネットワークはＴＤＤネットワークであり、ネットワークのキャリア周波数は閾値を上回っており、ネットワークはＬＴＥネットワークと共存しており、ＴＡオフセットは、０よりも大きい第３の値に等しい、方法。閾値は６ＧＨｚであり、ＴＡオフセットは２０μｓである、方法。記載した技術の実施は、ハードウェア、方法もしくはプロセス、またはコンピュータアクセス可能媒体上のコンピュータソフトウェアを含むことができる。
【０００８】
別の一般的な態様は、新無線（ＮＲ）ネットワークにおいて無線デバイスにタイミングアドバンス（ＴＡ）オフセットをシグナリングするために基地局によって実行される方法を含み、方法は、タイミングオフセットの指示を無線デバイスに送信することと、指示されたタイミングオフセットを用いてアップリンク送信を受信することとを含む。
【０００９】
実施は、以下の特徴のうちの１つまたは複数を含むことができる。タイミングオフセットの指示は、時間量の明示的な指示を含む、方法。ネットワークはＴＤＤネットワークではなく、ＴＡオフセットはゼロに等しい、方法。ネットワークはＴＤＤネットワークであり、ネットワークのキャリア周波数は閾値未満であり、ネットワークはＬＴＥネットワークと共存しておらず、ＴＡオフセットは、０よりも大きい第１の値に等しい、方法。閾値は６ＧＨｚであり、ＴＡオフセットは６μｓである、方法。ネットワークはＴＤＤネットワークであり、ネットワークのキャリア周波数は閾値を上回っており、ネットワークはＬＴＥネットワークと共存しておらず、ＴＡオフセットは、０よりも大きい第２の値に等しい、方法。閾値は６ＧＨｚであり、ＴＡオフセットは１３μｓである、方法。ネットワークはＴＤＤネットワークであり、ネットワークのキャリア周波数は閾値を上回っており、ネットワークはＬＴＥネットワークと共存しており、ＴＡオフセットは、０よりも大きい第３の値に等しい、方法。閾値は６ＧＨｚであり、ＴＡオフセットは２０μｓである、方法。タイミングオフセットの指示は、ネットワークがＬＴＥネットワークと共存しているか否かの指示を含む、方法。記載した技術の実施は、ハードウェア、方法もしくはプロセス、またはコンピュータアクセス可能媒体上のコンピュータソフトウェアを含むことができる。
【００１０】
別の一般的な態様は、新無線（ＮＲ）ネットワークにおいてタイミングアドバンス（ＴＡ）オフセットを決定するための無線デバイスを含み、無線デバイスは、上記の方法のうちの任意のもののステップのうちの任意のものを実行するように設定された処理回路と、無線デバイスに電力を供給するように設定された電力供給回路とを備える。この態様の他の実施形態は、各々が方法の動作を実行するように設定された、対応するコンピュータシステム、装置、および１つまたは複数のコンピュータストレージデバイス上に記録されたコンピュータプログラムを含む。
【００１１】
別の一般的な態様は、新無線（ＮＲ）ネットワークにおいて無線デバイスにタイミングアドバンス（ＴＡ）オフセットをシグナリングするための基地局を含み、基地局は、上記の方法のうちの任意のもののステップのうちの任意のものを実行するように設定された処理回路と、無線デバイスに電力を供給するように設定された電力供給回路とを備える。この態様の他の実施形態は、各々が方法の動作を実行するように設定された、対応するコンピュータシステム、装置、および１つまたは複数のコンピュータストレージデバイス上に記録されたコンピュータプログラムを含む。
【００１２】
更に別の一般的な態様は、新無線（ＮＲ）ネットワークにおいてタイミングアドバンス（ＴＡ）オフセットを決定するためのユーザ機器（ＵＥ）を含む。
【００１３】
本明細書に組み込まれ、その一部を成す添付の図面は、本開示のいくつかの態様を示しており、この記載と共に、本開示の原理を説明する役割を果たす。
【図面の簡単な説明】
【００１４】
【図１】（ＴＳ３６．２１１  ｖ１４．４．０に基づく）アップリンク−ダウンリンクタイミング関係。
【図２】ＬＴＥ  ＴＤＤフレーム。
【図３】ＬＴＥ  ＴＤＤフレーム構造。
【図４】ＮＲ展開例：（図４Ａ）分散型、（図４Ｂ）同位置型、（図４Ｃ）集中型、（図４Ｄ）共有型。
【図５】展開および複信モードに基づく異なるＴＡ＿ｏｆｆｓｅｔ値の例。
【図６】ＴＡオフセットを決定するための、ＵＥにおける例示的な方法を示す流れ図。
【図７】ＴＡオフセットを決定するための、ＵＥにおける別の例示的な方法を示す流れ図。
【図８】いくつかの実施形態による無線ネットワーク。
【図９】いくつかの実施形態によるユーザ機器。
【図１０】いくつかの実施形態による仮想化環境。
【図１１】いくつかの実施形態による、中間ネットワークを介してホストコンピュータに接続された通信ネットワーク。
【図１２】いくつかの実施形態による、部分的無線通信を通じてユーザ機器と基地局を介して通信するホストコンピュータ。
【図１３】いくつかの実施形態による、ホストコンピュータ、基地局およびユーザ機器を含む通信システムにおいて実施される方法。
【図１４】いくつかの実施形態による、ホストコンピュータ、基地局およびユーザ機器を含む通信システムにおいて実施される方法。
【図１５】いくつかの実施形態による、ホストコンピュータ、基地局およびユーザ機器を含む通信システムにおいて実施される方法。
【図１６】いくつかの実施形態による、ホストコンピュータ、基地局およびユーザ機器を含む通信システムにおいて実施される方法。
【図１７】いくつかの実施形態による方法。
【図１８】いくつかの実施形態による仮想化装置。
【発明を実施するための形態】
【００１５】
これらの図は、以下の詳細な説明を参照することによって、より良好に理解されるであろう。
【００１６】
一般に、本明細書で使用される全ての用語は、異なる意味が明瞭に与えられていない限り、および／または異なる意味が用いられる文脈において暗に意味されていない限り、関連技術分野でのその通常の意味に従って解釈されるべきである。要素、装置、構成要素、手段、ステップ等への全ての言及は、別段の記載が明示的にない限り、この要素、装置、構成部品、手段、ステップ等の少なくとも１つのインスタンスに言及するものとして非限定的に解釈すべきである。本明細書に開示される任意の方法のステップは、ステップが別のステップに後続もしくは先行することが明示的に記載されない限り、および／またはステップが別のステップに後続もしくは先行しなくてはならないことが暗黙的である場合を除いて、開示された厳密な順序で実行されなくてもよい。本明細書に開示される実施形態のうちの任意のものの任意の特徴は、任意の他の実施形態に適宜適用することができる。同様に、実施形態のうちの任意のものの任意の利点は任意の他の実施形態に適用することができ、逆もまた同様である。同封の実施形態の他の目的、特徴および利点は以下の説明から明らかとなろう。
【００１７】
ＬＴＥにおいて、パラメータＮＴＡ，ｏｆｆｓｅｔは、ＦＤＤモードまたはＴＤＤモードに基づいて固定される。フレーム構造１が用いられるＦＤＤでは、ＮＴＡ，ｏｆｆｓｅｔ＝０である。フレーム構造２が用いられるＴＤＤでは、ＮＴＡ，ｏｆｆｓｅｔ＝６２４である。したがって、ＴＤＤアップリンク送信のためのＮＴＡ，ｏｆｆｓｅｔは、６２４＊３２．５５ｎｓ＝２０．３μｓである。
【００１８】
ＴＤＤにおいて追加のタイムアライメントオフセットが必要とされる理由は、ＴＤＤにおいて、基地局が受信および送信を同時に行わないためである。以下で図２に示すように、ＬＴＥ  ＴＤＤでは、特殊サブフレームのダウンリンク部分（ＤｗＰＴＳ）および特殊サブフレームのアップリンク部分（ＵｐＰＴＳ）は、ガード期間（ＧＰ）によって分離される。アップリンクサブフレームとダウンリンクサブフレームとの間での切り替えが行われるとき、フレーム構造においてギャップが定義されない。図３に見られるように、ダウンリンクサブフレームに先行して、ＴＡ，Ｏｆｆｓｅｔだけオフセットしてアップリンクの送信を開始することによって、ＵＬからＤＬへの切り替えのために割り当てられたガード期間を表す長さＴＡ，Ｏｆｆｓｅｔのギャップが作成される。
【００１９】
ＴＡ＿ｏｆｆｓｅｔは、共に３ＧＰＰ規格において定義されるＴＸ遷移時間およびセル位相同期誤差から直接導出することができる。
【００２０】
図３にはＵＥ側のギャップが示されていることに留意されたい。基地局側では、ダウンリンクがＴ＿ｐｒｏｐ早く送信され、アップリンクがＴ＿ｐｒｏｐ遅く受信される。ここで、Ｔ＿ｐｒｏｐは、基地局とＵＥとの間の伝播時間である。これは、ＭＡＣシグナリングによって受信され、図１に示される、基地局における適切なギャップを与えるタイミングアライメントコマンドＮＴＡによって補償される。
【００２１】
ガード期間の残りの部分（ＤＬ対ＵＬの切り替えのために割り当てられたガード期間）（図３におけるＴＤＬ−ＵＬ）は、基地局におけるＴｘから基地局におけるＲｘに切り替え、近傍基地局から実際の（例えば、サービング）基地局への干渉を低減するために用いられる。近傍セルからの送信は、基地局間の距離に等しい伝播遅延だけ遅延され、また、基地局間の潜在的な同期誤差だけオフセットされる。したがって、基地局は、他の基地局からの干渉レベルが減少するまでこのガード期間にわたって待機しなくてはならない。
【００２２】
ＤＬからＵＬへのガードおよびＵＬからＤＬへのガードの双方のための総ガード期間の長さ（以下においてＴＧＵＡＲＤ）は、ＬＴＥにおいて、依然として効率的なスペクトル利用を可能にするようにオーバヘッドを最小限にしながら、セルサイズおよび干渉状況に関して異なる展開シナリオを可能にするように、１シンボルから最大で１０シンボルまでの間で設定可能である（依然としてＴＡオフセット部分は固定である）。
【００２３】
表１：ＬＴＥ  ＴＤＤ設定
2021503773.tif 000003
【００２４】
ＵＥは、初回は、ランダムアクセスプリアンブルを送信することによって基地局にアクセスする。プリアンブルは、基地局において、指定されたＵＬサブフレーム中に受信される。ＵＥは、様々な手順中、例えば初期アクセス中、セル変更中、セルに対する同期を失った後等にセルへのランダムアクセス送信を実行する。初期アクセスは、セル選択のために実行される。セル変更の例は、ハンドオーバ、セル再選択、ＲＲＣ再確立、リダイレクトを伴うＲＲＣ接続解放等である。
【００２５】
ＮＲおよびＬＴＥは共存することができる。ＮＲ展開シナリオの例が図４Ａ〜図４Ｄに示されている。これらの図に示されているように、ＮＲ基地局（例えば、ｇＮＢ）は、ＬＴＥ  ＢＳ（例えば、ｅＮＢ）と地理的に同位置にあってもよく、または異なる場所に位置してもよい。双方の場合に、ＮＲおよびＬＴＥは、同じキャリア周波数上または近傍周波数上に共存することができる。同じ周波数または近傍周波数におけるＴＤＤシステムにおいてＮＲおよびＬＴＥの共存が用いられるとき（例えば、同位置のＮＲ  ＢＳおよびＬＴＥ  ＢＳ等の、同じエリア内のＬＴＥおよびＮＲ）、これらは、干渉を最小限にするためのＴＡオフセットを含む、同じＴＤＤ設定を用いることができる。
【００２６】
１つの例は、ＬＴＥキャリア内の未使用リソースを、送信されるＮＲ信号のために用いることができるというものである。これは、特に、アップリンクキャリアにおいて用いられる。アップリンクにはこのＮＲ−ＬＴＥ共存の２つの事例、すなわちＵＥトランスペアレントおよびＵＥ非トランスペアレントがある。前者の場合、同じアップリンクキャリアが、２つの異なるＵＥによってＬＴＥおよびＮＲ間で共有される（例えば、ＵＥ１は、ＬＴＥを用いて送信する一方で、ＵＥ２はＮＲを用いて送信する）。後者の場合、同じアップリンクキャリアが、同じＵＥによってＬＴＥ信号およびＮＲ信号の双方を送信するために用いられる（例えば、アップリンクキャリアアグリゲーションに類似している）。
【００２７】
現在、いくつかの課題が存在している。今日、ＬＴＥにおいて、ＮＴＡ，Ｏｆｆｓｅｔは２つの値のうちの１つを有することができ、３６．２１１、セクション８において述べられているように、ＦＤＤの場合、０であり、ＴＤＤの場合、６２４＊Ｔｓ（２０μｓ）である。オフセットはＦＤＤが用いられるかまたはＴＤＤが用いられるかのみに基づいているため、オフセット値はＵＥによって知られている。このため、ＵＥは、シグナリングを伴うことなくオフセットをセットすることができる。
【００２８】
ＮＲにおける状況はより複雑である。オフセットは、複信方法（ＦＤＤまたはＴＤＤ）、ＬＴＥと共存しているか否か、および周波数帯域に依拠する。複信方法および周波数帯域はＵＥによって知られているが、ＬＴＥおよびＮＲ間の共存については知られていない。
【００２９】
既存の解決策では、ＦＤＤについて１つの値、ＴＤＤについて１つの値のみが可能である。したがって、既存の解決策を用いることは、全ての事例において可能な限り最も長いオフセットが必要とされることを意味する。
【００３０】
ＴＡ，Ｏｆｆｓｅｔは、ＴＤＤ設定における総ガード期間ＧＰの一部を用いる。総ガード期間の総長は、２つの部分に基づく。第１の部分は、基地局においてアップリンクサブフレームとダウンリンクサブフレームとの間のガード期間として用いられるＴＡ，Ｏｆｆｓｅｔである。第２の部分は、基地局におけるダウンリンクサブフレームと次のアップリンクサブフレームとの間のガード期間である。後者は、基地局とＵＥとの間のラウンドトリップ時間ＲＴＴに適応する必要もある。固定伝播遅延の場合、より短いＴＡ，ｏｆｆｓｅｔを用いると、ダウンリンクとアップリンクとの間のガード期間が増大し、同じ長さの総ガード期間について、より大きいセルをサポートすることができる。
【００３１】
ダウンリンクサブフレームとアップリンクサブフレームとの間のガード期間は、ダウンリンク送信信号をランプダウンし、基地局間の同期誤差に起因して生じ得る近傍セルのダウンリンクＴＤＤ送信からの受信ダウンリンク信号を減らすための時間、および伝播遅延の時間を見込むことも必要である。固定総ガード期間の場合、ＴＡオフセットを大きくすると、ダウンリンクからアップリンクへの切り替えにおける分離が小さくなり、そして遠隔基地局からの干渉が相対的に高くなる。
【００３２】
ＴＤＤフレーム構造における総ガード期間を最小限にすることによって、ガード期間に起因したオーバヘッドが少なくなり、容量が改善する。これは、ＮＲが低レイテンシを目標とし、これはＴＤＤの場合には、より頻繁なＴＲＸ切り替えを暗に意味するため、ＮＲにとって特に重要である。したがって、容量および干渉の観点から、可能な場合に最適で低いＴＡ，Ｏｆｆｓｅｔを用いることが重要である。
【００３３】
基地局にアクセスするとき、基地局におけるアップリンクサブフレームのタイミングは、ダウンリンクサブフレームとアップリンクサブフレームとの間の時間オフセットＴＡ＿ｏｆｆｓｅｔによって定義される。したがって、ＵＥがランダムアクセスプリアンブルの送信を開始するとき、時間オフセットがＵＥによって知られている必要がある。そうでない場合、送信されたランダムアクセスチャネル（ＲＡＣＨ）プリアンブルは、基地局において、定義されたアップリンクサブフレーム外で受信される場合があり、これは検出されないか、あるいは性能が劣化する。
【００３４】
本開示のいくつかの態様およびそれらの実施形態は、これらの課題または他の課題に対し解決策を提供することができる。ＴＤＤフレーム構造における総ガード期間（ＧＰ）を最小限にすることは、ＴＡ＿ｏｆｆｓｅｔを最小限にすることを含む。時間オフセットを選択するための全てのパラメータがＵＥにおいて利用可能なわけではないため、特定の実施形態において、基地局はＴＡ，ｏｆｆｓｅｔ値（またはＴＡ＿ｏｆｆｓｅｔ値の所定の識別子）をＵＥにシグナリングする。いくつかの実施形態は、共存問題が存在するか否かを意味する、１つまたは複数のセルにおけるＬＴＥおよびＮＲ共存のステータスに関する情報をシグナリングすることができる。いくつかの実施形態では、タイミングアドバンスに類似した粒度を有する実際のオフセットをＵＥに送信し、これによって、セルのサイズ等の他のパラメータに基づいてＴＡ＿ｏｆｆｓｅｔを調整することができる。
【００３５】
ＵＥが初回にセルに入る際にＲＡＣＨプリアンブルが送信されるとき、オフセットが必要とされるため、パラメータは、基地局（例えば、ｅＮＢ）にアクセスする前にＵＥによって知られる必要がある。したがって、特定の実施形態において、オフセットは、ＮＲ基地局（例えば、ｇＮＢ）からのブロードキャスト情報において（例えば、ＳＩＢにおいて）送信される。例として、ＴＡ，ｏｆｆｓｅｔ値は所定とすることができる。
【００３６】
１つの例示的な実施形態において、基地局は、ＵＥに、ＬＴＥとの共存状況が存在するか否かを通知する所定の識別子（例えば、１ビット）をシグナリングすることができる。ＴＡ＿ｏｆｆｓｅｔは、シナリオに基づいてＮＲ規格において指定される。例えば、ＬＴＥおよびＮＲが同じＴＤＤキャリア上に共存していない場合、基地局は、ＴＡ＿ｏｆｆｓｅｔ＝Ｎ２を用いてＵＥを設定するが、ＬＴＥおよびＮＲが同じＴＤＤキャリア上に共存している場合、基地局は、ＴＡ＿ｏｆｆｓｅｔ＝Ｎ３を用いてＵＥを設定する。ここで、Ｎ２＜Ｎ３である（例えば、Ｎ２＝１３μｓおよびＮ３＝２０μｓ（すなわち、６２４Ｔｓ））。
【００３７】
他の実施形態において、ＵＥによって用いられる実際のＴＡ＿ｏｆｆｓｅｔは、接続モードにおいて用いられるタイミングアドバンスコマンドの粒度、またはその倍数を用いてＵＥに送信される。ＴＡ＿ｏｆｆｓｅｔは、異なる複数のシナリオおよび実施について調整することができる。
【００３８】
ＵＥがＮＲおよびＬＴＥの共存に関する情報を有していない場合、ＬＴＥ帯域内で動作している全てのＮＲの場所が共存を前提としなくてはならない。これは、より小さなＴＡ＿Ｏｆｆｓｅｔおよびより小さなＧＰと比較して、この事例では、より長いＧＰが必要となることに起因して、全てのＮＲセル内のより大きなＮＲ  ＴＡ＿Ｏｆｆｓｅｔおよび更なるＮＲオーバヘッドを意味する。ＬＴＥ−ＮＲ共存動作のためにＴＡ＿ｏｆｆｓｅｔをシグナリングすることにより、ＴＡ＿ｏｆｆｓｅｔは、同じ帯域内のＬＴＥと同位置にあるＮＲの場所について、より長いＴＡ＿ｏｆｆｓｅｔを用い、同位置にないＮＲの場所について、より短いＴＡ＿ｏｆｆｓｅｔおよびより短いオーバヘッドを用いて、同位置状況に適合させることができる。
【００３９】
本明細書に開示される問題のうちの１つまたは複数に対処する様々な実施形態が本明細書において提案される。いくつかの実施形態によれば、新無線（ＮＲ）ネットワークにおけるタイミングアドバンス（ＴＡ）オフセットを決定するために無線デバイスによって実行される方法は、ネットワークが時分割複信（ＴＤＤ）ネットワークであるか否か、ネットワークのキャリア周波数、およびネットワークがロングタームエボリューション（ＬＴＥ）ネットワークと共存しているか否かの指示を取得することと、ネットワークがＴＤＤネットワークであるか否か、ネットワークのキャリア周波数、およびネットワークがＬＴＥネットワークと共存しているか否に基づいて、アップリンク送信のためのＴＡオフセットを決定することと、決定されたＴＡオフセットを用いてアップリンク送信を送信することとを含む。
【００４０】
特定の実施形態において、ネットワークがＬＴＥネットワークと共存しているか否かの指示を取得することは、ネットワークノードからシグナリングを受信することを含む。シグナリングは、明示的なＴＡオフセット値を含むことができ、ＴＡオフセットを決定することは、受信した明示的なＴＡオフセット値を用いることを含む。
【００４１】
特定の実施形態において、ネットワークはＴＤＤネットワークではなく、ＴＡオフセットはゼロに等しい。ネットワークはＴＤＤネットワークである場合があり、ネットワークのキャリア周波数は閾値（例えば、６ＧＨｚ）未満である場合があり、ネットワークはＬＴＥと共存していない場合があり、ＴＡオフセットは第１の値（例えば、６μｓ）に等しい。ネットワークはＴＤＤネットワークである場合があり、ネットワークのキャリア周波数は、閾値（例えば、６μｓ）を上回っている場合があり、ネットワークはＬＴＥネットワークと共存していない場合があり、ＴＡオフセットは第２の値（例えば、１３μｓ）に等しい場合がある。ネットワークはＴＤＤネットワークである場合があり、ネットワークのキャリア周波数は、閾値（例えば、６ＧＨｚ）を上回っている場合があり、ネットワークはＬＴＥネットワークと共存している場合があり、ＴＡオフセットは第３の値（例えば、２０μｓ）に等しい場合がある。
【００４２】
特定の実施形態は、以下の技術的利点のうちの１つまたは複数を提供することができる。特定の実施形態の利点は、ＵＥが、送信を開始する前に、アップリンクスロット構造のための最良の時間オフセットに関して通知されることである。時間オフセットは、ＴＤＤにおいて、基地局におけるアップリンクサブフレームとダウンリンクサブフレームとの間のギャップを生成するのに用いられる。このギャップは、基地局が、アップリンク受信機無線を停止し、ダウンリンク送信機電力をランプすることを可能にする。
【００４３】
ＴＡ＿ｏｆｆｓｅｔを最小限にするとき、ＴＤＤフレーム構造における総ガード期間を最小限にすることができる。ＬＴＥにおいて、ガード期間の長さは、１シンボル〜１０シンボルで変動させることができる。ＲＡＣＨプリアンブルの正しいアップリンクタイミングでは、基地局におけるダウンリンクサブフレームとアップリンクサブフレームとの間のランプは、受信ランダムアクセスプリアンブルと干渉していない。
【００４４】
ブロードキャストシグナリングにおいてＴＡ＿ｏｆｆｓｅｔを送信する実施形態の場合、セルにおける干渉状況および容量は、ガード期間のサイズを実際のシナリオに対し最小限にすることで向上させることができる。これは、ＮＲが、ＴＤＤシステムにおけるより頻繁なＴＲＸ切り替えを意味する低レイテンシを目標としているため、有利である。
【００４５】
ＵＥが情報を有していない場合、ＬＴＥ帯域内で動作している全てのＮＲの場所が共存を前提としなくてはならない。これは、より小さなＴＡ＿Ｏｆｆｓｅｔおよびより小さなＧＰと比較して、この事例では、より長いＧＰが必要となることに起因して、全てのＮＲセル内のより大きなＮＲ  ＴＡ＿Ｏｆｆｓｅｔおよび更なるＮＲオーバヘッドを意味する。
【００４６】
ここで、本明細書において検討される実施形態のうちのいくつかを、添付の図面を参照してより詳細に説明する。しかしながら、他の実施形態も本明細書に開示される主題の範囲内に含まれ、開示される主題は、本明細書に示される実施形態のみに限定されるとみなされるべきではなく、むしろ、これらの実施形態は、当業者に主題の範囲を伝えるために例として提供される。追加の情報は付録において得ることもできる。
【００４７】
いくつかの実施形態では、非限定的な用語「ＵＥ」が使用される。本明細書でのＵＥは、無線信号を介してネットワークノードまたは別のＵＥと通信することが可能な、任意のタイプの無線デバイスであり得る。ＵＥはまた、無線通信デバイス、ターゲットデバイス、デバイスツーデバイス（Ｄ２Ｄ）ＵＥ、マシン型ＵＥまたはマシンツーマシン通信（Ｍ２Ｍ）が可能なＵＥ、ターゲットデバイス、ＵＥを装備したセンサ、ｉＰＡＤ、タブレット、モバイル端末、スマートフォン、ラップトップ埋込み機器（ＬＥＥ）、ラップトップ搭載機器（ＬＭＥ）、ＵＳＢドングル、顧客構内機器（ＣＰＥ：Ｃｕｓｔｏｍｅｒ  Ｐｒｅｍｉｓｅｓ  Ｅｑｕｉｐｍｅｎｔ）等であり得る。
【００４８】
また、いくつかの実施形態では、一般用語「ネットワークノード」が使用される。ネットワークノードは、基地局、無線基地局、基地トランシーバ局、基地局コントローラ、ネットワークコントローラ、ｇＮＢ、ｅｎ−ｇＮＢ、ｎｒ−ｅＮＢ、ＮＲ  ＢＳ、エボルブドノードＢ（ｅＮＢ）、ノードＢ、マルチセル／マルチキャスト協調エンティティ（ＭＣＥ）、リレーノード、アクセスポイント、無線アクセスポイント、リモートラジオユニット（ＲＲＵ）、リモート無線ヘッド（ＲＲＨ）、マルチスタンダードＢＳ（別名ＭＳＲ  ＢＳ）、コアネットワークノード（例えば、ＭＭＥ、ＳＯＮノード、協調ノード、測位ノード（例えば、ロケーションサーバ、ＳＭＬＣ、Ｅ−ＳＭＬＣ等）、ＭＤＴノード等）、または更には外部ノード（例えば、サードパーティノード、現在のネットワークの外部のノード）等の無線ネットワークノードを含み得る任意の種類のネットワークノードであり得る。ネットワークノードは試験機器を含む場合もある。本明細書において用いられる用語「無線ノード」は、ＵＥまたは無線ネットワークノードを示すのに用いることができる。
【００４９】
実施形態は、ＵＥのシングルキャリアおよびマルチキャリア動作に適用可能である。マルチキャリア動作の例は、キャリアアグリゲーション（ＣＡ）、マルチ接続性（ＭＣ）等である。ＣＡ動作において、ＵＥは、２つ以上のサービングセルに対しデータを送信および／または受信することができる。ＭＣにおいて、ＵＥは、２つの異なるネットワークノードによって動作する少なくとも２つのサービングセル（例えば、ＰＣｅｌｌおよびＰＳＣｅｌｌ）によってサービングされる。ＭＣの特殊な例は、複信接続性（ＤＣ）、例えば、ＬＴＥ−ＮＲ  ＤＣである。用語「キャリアアグリゲーション」（ＣＡ）は、「マルチキャリアシステム」、「マルチセル動作」、「マルチキャリア動作」、「マルチキャリア」送信および／または受信とも呼ばれる（例えば、置き換え可能に呼ばれる）。ＣＡにおいて、コンポーネントキャリア（ＣＣ）のうちの１つは、プライマリコンポーネントキャリア（ＰＣＣ）または単にプライマリキャリア、または更にはアンカーキャリアである。残りのキャリアは、セカンダリコンポーネントキャリア（ＳＣＣ）、または単にセカンダリキャリア、または更には補助キャリアと呼ばれる。サービングセルは、プライマリセル（ＰＣｅｌｌ）またはプライマリサービングセル（ＰＳＣ）と置き換え可能に呼ばれる。同様に、セカンダリサービングセルは、セカンダリセル（ＳＣｅｌｌ）またはセカンダリサービングセル（ＳＳＣ）と置き換え可能に呼ばれる。
【００５０】
本明細書において用いられる用語「シグナリング」は、（例えば、ＲＲＣ、ＮＡＳメッセージ等を介した）上位レイヤシグナリング、（例えば、ＭＡＣ、物理制御チャネル等を介した）下位レイヤシグナリング、またはこれらの組み合わせのいずれかを含むことができる。シグナリングは、暗示的であっても明示的であってもよい。シグナリングは、更に、ユニキャスト、マルチキャスト、またはブロードキャストであってもよい。シグナリングはまた、別のノードに直接的に、または第３のノードを介して行われてもよい。
【００５１】
特定の実施形態は、ユーザ機器（ＵＥ）およびネットワークノード双方における方法を含む。実施形態は、以下で更に詳細に説明される。
【００５２】
導入部において記載したように、基地局において、ＬＴＥにおけるアップリンクサブフレームは、ＮＴＡ，ｏｆｆｓｅｔだけダウンリンクサブフレームからオフセットされているため、ＵＥは、ネットワークにアクセスするとき（例えば、セルへのランダムアクセスを行うとき）、オフセットも知る必要がある。このとき、ＵＥは、ランダムアクセスプリアンブルが送信されるときを知る。したがって、ＵＥが、アップリンクにおける送信を開始する前にＴＡ，ｏｆｆｓｅｔを知る場合、有利である。
【００５３】
ＮＲおよびＬＴＥの共存がＴＤＤシステムにおいて用いられているとき（例えば、同位置のＮＲ  ＢＳおよびＬＴＥ  ＢＳ等、同じエリア内のＬＴＥおよびＮＲ）、これらは同じＴＤＤ設定を用いることができる。これにはＴＡオフセットが含まれるが、これ以外は必須ではない。上述したように、ＴＡオフセットを定義する送信遷移時間は、ＬＴＥとＮＲとで異なり、また、異なるＮＲ周波数範囲内でも異なる。ＮＲでは、遷移時間はキャリア周波数範囲に依拠するが、セルのフレームタイミング間のセル位相同期は同じである（例えば、周波数にかかわらず３μｓ）。
【００５４】
ＵＥは、接続されたｇＮＢのフレームタイミング変化を辿る能力を有する。アップリンクフレーム送信は、基準セルからの対応するダウンリンクフレームの（時間において）最初に検出された経路の受信の（ＮＴＡ＋ＮＴＡ  ｏｆｆｓｅｔ）×Ｔｃ前に行われる。ＵＥ初期送信タイミング精度、１つの調節におけるタイミング変更の最大量、最小および最大調節レートが以下の要件において定義される。ＮＴＡ  ｏｆｆｓｅｔの値は、アップリンク送信が行われるセルの複信モード、周波数範囲（ＦＲ）、およびセルにおいてＬＴＥ−ＮＲ共存が設定されているか否かに依拠する。ＮＴＡ  ｏｆｆｓｅｔは、表２に定義されている。
【００５５】
表２：ＮＴＡ  ｏｆｆｓｅｔの値
2021503773.tif 000004
【００５６】
ＵＥ初期送信タイミング誤差は、±Ｔｅ以下であり、ここで、タイミング誤差制限値Ｔｅは、表において指定されている。この要件は、（ａ）これがＰＵＣＣＨ、ＰＵＳＣＨおよびＳＲＳのためのＤＲＸサイクルにおける第１の送信であるか、またはＰＲＡＣＨ送信であるとき、および（ｂ）これがＤＲＸにおける第１の送信ではないか、またはＤＲＸがないとき、かつ、節７．３におけるタイミングアドバンスが適用されるときを除く、ＰＵＣＣＨ、ＰＵＳＣＨおよびＳＲＳのための送信であるとき、に適用される。
【００５７】
ＵＥ初期送信タイミング制御要件のための基準点は、基準セルのダウンリンクタイミングから（ＮＴＡ＋ＮＴＡ  ｏｆｆｓｅｔ）×Ｔｃを減算したものとなる。ダウンリンクタイミングは、対応するダウンリンクフレームの（時間において）最初に検出された経路が基準セルから受信される時点として定義される。ＰＲＡＣＨのためのＮＴＡは、０として定義される。
【００５８】
他のチャネルについての（ＮＴＡ＋ＮＴＡ  ｏｆｆｓｅｔ）×Ｔｃ（Ｔｃ単位）は、ＵＥ送信タイミングと、節７．３における最後のタイミングアドバンスが適用された直後のダウンリンクタイミングとの間の差である。他のチャネルのためのＮＴＡは、次のタイミングアドバンスが受信されるまで変更されない。
【００５９】
ＵＥと基準タイミングとの間の送信タイミング誤差が±Ｔｅを超えるとき、ＵＥは、基準セルの受信ダウンリンクフレームに従って送信タイミングを変更することが可能であり、そのタイミングを±Ｔｅ以内に調節するように要求される。基準タイミングは、基準セルのダウンリンクタイミングの（ＮＴＡ＋ＮＴＡ  ｏｆｆｓｅｔ）×Ｔｃ前となる。ＵＥアップリンクタイミングに対し行われる全ての調節は以下の規則に従う。
１）１つの調節におけるタイミング変更の大きさの最大量は、Ｔｑ秒である。
２）最大総調節レートは、毎秒［ＴＢＤ］＊Ｔｃである。
３）最大総調節レートは、［２００］ｍｓあたりＴｑである。
ここで、最大自律時間調節ステップＴｑは表３に指定される。
【００６０】
表３：Ｔｑ最大自律時間調節ステップ
2021503773.tif 000005
【００６１】
例えば、より高い帯域幅を有する、より高い周波数（例えば、２４ＧＨｚ以上）において、ＴＸおよびＲＸ間の遷移に起因した信号のランプアップまたはランプダウンは、より低い周波数（例えば、最大６ＧＨｚ）と比較して短縮される。したがって、指定された送信遷移時間に基づいて、そしてＮＲ−ＬＴＥ共存が用いられるか否かに基づいて、ＴＡｏｆｆｓｅｔの異なるオプションが必要とされる。これは、以下の例を用いて説明され、図５にも示される。
【００６２】
ＮＲにおけるＦＤＤについて、ＴＡ，ｏｆｆｓｅｔはいずれのＦＤＤ周波数においても必要とされないため、任意のＦＤＤキャリアにおける動作のためのＴＡ，ｏｆｆｓｅｔは０μｓとなる。ＮＲ  ＦＲ２におけるＴＤＤの場合、ＴＡ，ｏｆｆｓｅｔは、動作周波数が周波数範囲２（ＦＲ２）内にあることを仮定して、Ｎ１である。Ｎ１の例は、Ｎ１＝６μｓである。ＦＲ２の例は、２４ＧＨｚ以上の周波数である。ＦＲ２における例として、ＮＲ−ＬＴＥ共存展開は行われない。したがって、ＦＲ２内の任意のキャリアがＮＲのためにのみ用いられる。
【００６３】
ＦＲ１におけるＴＤＤの事例の場合、２つの主要な事例がある。ＮＲ−ＬＴＥ共存なしでは、ＮＲにおけるＴＤＤについて、動作周波数が周波数範囲１（ＦＲ１）内にあること、および動作のＴＤＤキャリアにおいてＬＴＥ−ＮＲ共存が用いられないことを仮定して、ＴＡ，ｏｆｆｓｅｔはＮ２である。したがって、ＴＤＤキャリアは、ＮＲのためにのみ用いられる。Ｎ２の例は、Ｎ２＝１３μｓである。ＦＲ１の例は、最大６ＧＨｚの周波数である。ＮＲ−ＬＴＥ共存ありでは、ＮＲにおけるＴＤＤについて、動作周波数が周波数範囲１（ＦＲ１）内にあること、および動作のＴＤＤキャリアにおいてＬＴＥ−ＮＲ共存が用いられることを仮定して、ＴＡ，ｏｆｆｓｅｔはＮ３である。ここで、Ｎ２＜Ｎ３である。したがって、同じＴＤＤキャリアがＬＴＥ動作およびＮＲ動作のために用いられる（例えば、同じキャリアがＬＴＥおよびＮＲ間で共有される）。Ｎ３の例は、Ｎ３＝２０μｓである。ＦＲ１の例は、最大で６ＧＨｚの周波数である。
【００６４】
低レイテンシは、ＮＲにおける主要な特徴である。ＴＤＤシステムの場合、これは、ＴＸおよびＲＸ間のより頻繁な切り替えを意味する。オーバヘッドを最小限にし、スペクトル利用を、可能な限り短い総ＧＰとなるように最大化することが望ましく、これは、ＴＡオフセットが可能な限り短く保持されるべきであることも意味する。これは、ＮＲのみの動作において用いられるＮ２（例えば、１３μｓ）を、ＬＴＥにおいて用いられるＮ３（例えば、２０μｓ）よりも小さく保持する（すなわちＮ２＜Ｎ３）１つの動機づけである。
【００６５】
いくつかの実施形態によれば、ネットワークノードは、ＵＥによって用いられるＴＡ＿ｏｆｆｓｅｔを、ＴＤＤ設定におけるアップリンクサブフレームとダウンリンクサブフレームとの間の時間オフセットとしてシグナリングする。このため、ダウンリンクとアップリンクとの間の総ガード期間を最小限にすることができる。
【００６６】
シグナリングは、ＵＥがネットワーク（例えば、基地局）にアクセスするとき、またはアクセスすることを予期されるときに必要とされる。例えば、ＵＥがセル内で（例えば、初期アクセス中またはセル変更手順中に）ランダムアクセスプリアンブルを送信しているかまたは送信することを予期されているときである。
【００６７】
いくつかの実施形態では、ネットワークノードは、そのキャリア上でＮＲセルがＬＴＥと共存しているか否かをＵＥに知らせる情報（例えば、ブロードキャストチャネルにおけるＮＲブロードキャスト情報における１ビット）を送信する。ブロードキャストチャネルの例は、ＰＢＣＨを介して送信されるＭＩＢ、（ＳＩＢ１等の）ＳＩＢ送信等である。（図６のフローチャートに示すように）ネットワークノードから受信した指示に基づいて、ＵＥは、ＵＥによってこのセル内で信号を送信するためにどのＮＴＡ，ｏｆｆｓｅｔ値が用いられるかの決定を行うことができる。このとき、これは、ＴＤＤのために用いられる帯域にあるか、６ＧＨｚよりも下または上であるか、および最終的に、ブロードキャスト情報内のビットが、キャリアがＬＴＥセルと共存していることを示すか否かに基づく。例として、指示されたビット０およびビット１は、それぞれ、ＮＲ−ＬＴＥ共存のあるキャリア上のＮＲ動作およびＮＲ−ＬＴＥ共存のないキャリア上のＮＲ動作を表すことができる。例えば、受信情報が、ＵＥが信号を送信するＴＤＤキャリアがＬＴＥ−ＮＲ共存のために用いられることを示す場合（例えば、指示されたビット＝１）、ＵＥはＮＴＡ，ｏｆｆｓｅｔをＮ３として選択し、そうでない場合（例えば、指示されたビット＝０）、ＮＴＡ，ｏｆｆｓｅｔをＮ２として選択する。Ｎ１、Ｎ２およびＮ３の値は、規格において所定とすることができる。
【００６８】
ネットワークノードによって送信される情報は、各キャリアに、またはキャリアのグループに関連付けることができる。ネットワークは、必要に応じて、ＬＴＥ−ＮＲ共存のためにキャリアを設定または設定解除（ｄｅｃｏｎｆｉｇｕｒｅ）することができる。したがって、ネットワークノードは、ＵＥがセルにアクセスするときにＴＡ＿ｏｆｆｓｅｔの最新の正しい値を適用することを可能にするために、シグナリングされる情報を更新することができる。
【００６９】
シグナリングメッセージは、ネットワークノードによって、セル変更コマンド（例えば、ＨＯメッセージ）において、例えば、ＵＥ固有のメッセージまたは専用シグナリングにおいて送信することもできる。これにより、ＵＥが、セル変更を行うためのターゲットセルにおいて信号を送信するためにＵＥによって用いられることになるＮＴＡ，ｏｆｆｓｅｔを決定することが可能になる。
【００７０】
特定の実施形態において、ＵＥにおけるダウンリンクおよびアップリンク間のＴＡ，ｏｆｆｓｅｔは、シナリオごとの典型的な値としてセットすることができる。この事例における実際のオフセットは、規格において定義することができ、したがって、シナリオによって確定される。６ＧＨｚ未満でＬＴＥセルと共存するＴＤＤの事例では、ＮＴＡ，ｏｆｆｓｅｔは、ＬＴＥにおいて定義されたオフセットと等しくなるようにセットされ、すなわちＮ３＝２０μｓである。６ＧＨｚ未満でＬＴＥとの共存のないＮＲ  ＴＤＤの事例では、オフセットは、より小さな値、例えばＮ２＝１３μｓまで低減することができる。しかし、ＴＤＤが用いられ、周波数帯域が６ＧＨｚよりも高い場合、オフセットは更に、例えばＮ１＝６μｓまで低減することができる。
【００７１】
第１の実施形態のためのＳＩＢ１における指示をどのように指定することができるかに関する１つの例がここで与えられる。第１の例は、３８．３３１におけるＳｅｒｖｉｎｇＣｅｌｌＣｏｎｆｉｇＣｏｍｍｏｎ内に、３つ全ての可能なオフセットを示すＴｉｍｉｎｇＡｄｖａｎｃｅＯｆｆｓｅｔを追加することである。
１ｔｉｍｉｎｇＡｄｖａｎｃｅＯｆｆｓｅｔ    ＥＮＵＭＥＲＡＴＥＤ｛ｘ０，ｘ３９９３６，ｘ２５５６０，ｘ１１７７６｝
【００７２】
このコストは２ビットである。別のオプションは、パラメータＬＴＥ−ＮＲ−Ｃｏｅｘｉｓｔｅｎｃｅを追加することである。存在する場合、このフィールドは、ＦＲ１におけるＴＤＤサービングセルがＬＴＥ−ＮＲ共存下にあり、ＵＥが３９９３６のＮ＿ＴＡオフセットを適用することを示す。代替的に、実際のオフセットの指定が３８．１３３において行われる場合、ＬＴＥ−ＮＲ−Ｃｏｅｘｉｓｔｅｎｃｅは、存在する場合、ＦＲ１におけるＴＤＤサービングセルがＬＴＥ−ＮＲ共存下にあり、ＵＥがＴＳ３８．１３３のセクション７．１．１に指定されるようにＮ＿ＴＡオフセットを適用することを示す。パラメータは以下のように示すことができる。
ＬＴＥ−ＮＲ−Ｃｏｅｘｉｓｔｅｎｃｅ    ＥＮＵＭＥＲＡＴＥＤ｛ｔｒｕｅ｝ＯＰＴＩＯＮＡＬ，−−ＣｏｎｄＴＤＤ−ＦＲ１
【００７３】
パラメータＬＴＥ−ＮＲ−Ｃｏｅｘｉｓｔｅｎｃｅは、ＦＲ１におけるＴＤＤセルについてのみ有効であり、したがって、以下が追加される必要がある。
【００７４】
ＴＤＤ−ＦＲ１：このフィールドは、オプションで、周波数範囲（ＦＲ）１において動作しているペアにされていないスペクトルにおけるサービングセルのために存在する。そうでない場合、このフィールドはない。
【００７５】
いくつかの実施形態では、ネットワークノードは、ブロードキャスト情報において実際のＮＴＡ，ｏｆｆｓｅｔ（例えば、１３μｓ、１５μｓ等）をＵＥに送信する。ＮＴＡ，ｏｆｆｓｅｔは、タイミング位置合わせがＬＴＥ接続モードにおいてシグナリングされるのと同様の方式でシグナリングされる。この提案は、実施形態１よりもシグナリングコストが高いが、この提案に伴う利点は、ガード期間を、セルサイズ、基地局実施の双方等に基づいて最小にすることができることである。これによって、容量を更に最適化することができる。これにより、ネットワークの順応性が高まる。例が図７に示される。
【００７６】
いくつかの実施形態では、ネットワークノードは、ネットワーク内のｇＮＢおよびｅＮＢに接続された異なるＵＥから性能統計を収集する。干渉条件が検出される場合、かつ閾値との比較により、干渉条件が時間において持続性があることが示される場合、オペレータは、Ｏ＆Ｍ管理システムを通じて、ＬＴＥおよびＮＲ間に潜在的な共存問題が存在することを通知され得る。この情報は、サイトまたはサイトグループのＴＡ＿ｏｆｆｓｅｔ設定を変更し、次に、干渉条件が止んだか否かをチェックするために、ＳＯＮの意味で自動的に用いることもできる。干渉が止んだ場合、ＴＡ＿ｏｆｆｓｅｔに対する変更が永久的に行われ、オペレータはＯ＆Ｍ管理システムを通じて通知される。
【００７７】
本明細書に記載の主題は、任意の適切なコンポーネントを用いて任意の適切なタイプのシステムにおいて実施することができるが、本明細書において開示される実施形態は、図８に示す例示的な無線ネットワーク等の無線ネットワークとの関連で説明される。簡単にするために、図８の無線ネットワークは、ネットワーク８０６、ネットワークノード８６０および８６０ｂ、ならびにＷＤ  ８１０、８１０ｂ、および８１０ｃのみを示す。実際には、無線ネットワークは、固定電話、サービスプロバイダ、または任意の他のネットワークノードもしくはエンドデバイス等の、無線デバイス間または無線デバイスと別の通信デバイスとの間の通信をサポートするのに適した任意の追加の要素を更に含むことができる。示されるコンポーネントのうち、ネットワークノード８６０および無線デバイス（ＷＤ）８１０は、更なる詳細を有して示される。無線ネットワークは、１つまたは複数の無線デバイスに通信および他のタイプのサービスを提供し、無線デバイスによる、無線ネットワークによってまたは無線ネットワークを介して提供されるサービスへのアクセスおよび／またはその使用を容易にすることができる。
【００７８】
無線ネットワークは、任意のタイプの通信、遠距離通信、データ、セルラおよび／もしくは無線ネットワーク、もしくは他の類似のタイプのシステムを含み、かつ／またはこれらとインターフェースすることができる。いくつかの実施形態では、無線ネットワークは、特定の規格または他のタイプの所定の規則もしくは手順に従って動作するように設定することができる。このため、無線ネットワークの特定の実施形態は、モバイル通信のためのグローバルシステム（ＧＳＭ）、ユニバーサルモバイルテレコミュニケーションシステム（ＵＭＴＳ）、ロングタームエボリューション（ＬＴＥ）および／もしくは他の適切な２Ｇ、３Ｇ、４Ｇもしくは５Ｇ規格、ＩＥＥＥ８０２．１１規格等の無線ローカルエリアネットワーク（ＷＬＡＮ）規格、ならびに／または、マイクロ波アクセスのための世界的相互運用性（ＷｉＭＡＸ）、Ｂｌｕｅｔｏｏｔｈ、Ｚ−Ｗａｖｅおよび／またはＺｉｇＢｅｅ規格等の任意の他の適切な無線通信規格等の通信規格を実施することができる。
【００７９】
ネットワーク８０６は、１つまたは複数のバックホールネットワーク、コアネットワーク、ＩＰネットワーク、公衆交換電話ネットワーク（ＰＳＴＮ）、パケットデータネットワーク、光ネットワーク、広域ネットワーク（ＷＡＮ）、ローカルエリアネットワーク（ＬＡＮ）、無線ローカルエリアネットワーク（ＷＬＡＮ）、有線ネットワーク、無線ネットワーク、メトロポリタンエリアネットワーク、およびデバイス間の通信を可能にする他のネットワークを含むことができる。
【００８０】
ネットワークノード８６０およびＷＤ８１０は、以下でより詳細に説明される様々なコンポーネントを含む。これらのコンポーネントは、無線ネットワークにおける無線接続の提供等、ネットワークノードおよび／または無線デバイスの機能を提供するために協働する。異なる実施形態において、無線ネットワークは、任意の数の有線または無線ネットワーク、ネットワークノード、基地局、コントローラ、無線デバイス、中継局、ならびに／または、有線接続を介したものであっても、もしくは無線接続を介したものであっても、データおよび／もしくは信号の通信を容易にし、もしくはその通信に参加することができる任意の他のコンポーネントもしくはシステムを含むことができる。
【００８１】
本明細書において用いられるとき、ネットワークノードとは、無線デバイスおよび／または無線ネットワークにおける他のネットワークノードもしくは機器と直接または間接的に通信して、無線デバイスへの無線アクセスを可能にしかつ／もしくは提供し、かつ／または無線ネットワークにおける他の機能（例えば管理）を行うことが可能であり、そのように設定され、調整され、かつ／または動作可能な機器ケーブルを指す。ネットワークノードの例は、限定ではないが、アクセスポイント（ＡＰ）（例えば、無線アクセスポイント）、基地局（ＢＳ）（例えば、無線基地局、ノードＢ、エボルブドノードＢ（ｅＮＢ）、およびＮＲノードＢ（ｇＮＢ）を含む。）基地局は、提供するカバレッジの量（または言い換えれば送信電力レベル）に基づいてカテゴライズすることができ、その場合、フェムト基地局、ピコ基地局、マイクロ基地局またはマクロ基地局と呼ばれる場合もある。基地局は、中継ノード、または中継を制御する中継ドナーノードとすることができる。ネットワークノードは、場合によってはリモート無線ヘッド（ＲＲＨ）と呼ばれる集中型デジタルユニットおよび／またはリモート無線ユニット（ＲＲＵ）等の分散無線基地局の１つまたは複数の（または全ての）部分も含むことができる。そのようなリモート無線ユニットは、アンテナ一体型無線としてアンテナと一体化されている場合も、一体化されていない場合もある。分散無線基地局の一部分は、分散アンテナシステム（ＤＡＳ）においてノードと呼ばれる場合もある。ネットワークノードのまた更なる例は、マルチスタンダード無線（ＭＳＲ）ＢＳ等のＭＳＲ機器、無線ネットワークコントローラ（ＲＮＣ）または基地局コントローラ（ＢＳＣ）等のネットワークコントローラ、送受信機基地局（ＢＴＳ）、送信ポイント、送信ノード、マルチセル／マルチキャスト協調エンティティ（ＭＣＥ）、コアネットワークノード（例えば、ＭＳＣ、ＭＭＥ）、Ｏ＆Ｍノード、ＯＳＳノード、ＳＯＮノード、測位ノード（例えば、Ｅ−ＳＭＬＣ）、および／またはＭＤＴを含む。別の例として、ネットワークノードは、以下でより詳細に説明するような仮想ネットワークノードとすることができる。しかしながら、より一般的には、ネットワークノードは、無線デバイスに無線ネットワークへのアクセスを可能にし、かつ／もしくは提供するか、または無線ネットワークにアクセスした無線デバイスに何らかのサービスを提供することが可能であり、そのように設定され、調整され、かつ／または動作可能な任意の適切なデバイス（またはデバイスのグループ）を表すことができる。
【００８２】
図８において、ネットワークノード８６０は、処理回路８７０と、デバイス可読媒体８８０と、インターフェース８９０と、補助機器８８４と、電源８８６と、電力回路８８７と、アンテナ８６２とを含む。図８の例示的な無線ネットワークにおいて示されるネットワークノード８６０は、ハードウェアコンポーネントの示される組み合わせを含むデバイスを表す場合があるが、他の実施形態は、コンポーネントの異なる組み合わせを有するネットワークノードを含んでもよい。ネットワークノードが、本明細書に開示されるタスク、特徴、機能および方法を実行するのに必要なハードウェアおよび／またはソフトウェアの任意の適切な組み合わせを含むことが理解されよう。更に、ネットワークノード８６０のコンポーネントは、大きなボックス内に位置するか、または複数のボックス内に入れ子になった単一のボックスとして示されているが、実際には、ネットワークノードは、単一の示されるコンポーネントを構成する複数の異なる物理的コンポーネントを含んでもよい（例えば、デバイス可読媒体８８０は、複数の別個のハードドライブおよび複数のＲＡＭモジュールを含んでもよい）。
【００８３】
同様に、ネットワークノード８６０は、複数の物理的に別個のコンポーネント（例えば、ＮｏｄｅＢコンポーネントおよびＲＮＣコンポーネント、またはＢＴＳコンポーネントおよびＢＳＣコンポーネント等）から構成することができ、これらのコンポーネントは各々、独自のそれぞれのコンポーネントを有することができる。ネットワークノード８６０が複数の別個のコンポーネント（例えば、ＢＴＳおよびＢＳＣコンポーネント）を含む特定のシナリオにおいて、別個のコンポーネントのうちの１つまたは複数をいくつかのネットワークノード間で共有することができる。例えば、単一のＲＮＣが、複数のＮｏｄｅＢを制御することができる。そのようなシナリオでは、各固有のＮｏｄｅＢおよびＲＮＣのペアが、いくつかの例では、単一の別個のネットワークノードとみなされる場合がある。いくつかの実施形態では、ネットワークノード８６０は、複数の無線アクセス技術（ＲＡＴ）をサポートするように設定することができる。そのような実施形態において、いくつかのコンポーネントを複製することができ（例えば、異なるＲＡＴに別個のデバイス可読媒体８８０）、いくつかのコンポーネントを再利用することができる（例えば、同じアンテナ８６２を複数のＲＡＴによって共有することができる）。ネットワークノード８６０は、例えば、ＧＳＭ、ＷＣＤＭＡ、ＬＴＥ、ＮＲ、ＷｉＦｉ、またはＢｌｕｅｔｏｏｔｈ無線技術等の、ネットワークノード８６０に一体化される異なる無線技術のための様々な示されるコンポーネントの複数のセットも含むことができる。これらの無線技術は、同じまたは異なるチップまたはチップセット、およびネットワークノード８６０内の他のコンポーネントに一体化され得る。
【００８４】
処理回路８７０は、ネットワークノードによって提供されるものとして本明細書に説明された任意の決定、計算または類似の動作（例えば、特定の取得動作）を行うように設定される。処理回路８７０によって実行されるこれらの動作は、例えば、取得された情報を他の情報に変換し、取得された情報もしくは変換された情報をネットワークノードに記憶された情報と比較し、かつ／または取得された情報もしくは変換された情報に基づいて１つまたは複数の動作を実行し、前記処理の結果として決定を行うことによって、処理回路８７０によって取得される処理情報を含むことができる。
【００８５】
処理回路８７０は、マイクロプロセッサ、コントローラ、マイクロコントローラ、中央処理ユニット、デジタル信号プロセッサ、特定用途向け集積回路、フィールドプログラマブルゲートアレイ、または任意の他の適切なコンピューティングデバイス、リソース、または、単独でもしくはデバイス可読媒体８８０等の他のネットワークノード８６０コンポーネントと併せてネットワークノード８６０機能を提供するように動作可能なハードウェア、ソフトウェア、および／もしくは符号化されたロジックの組み合わせのうちの１つまたは複数の組み合わせを含むことができる。例えば、処理回路８７０は、デバイス可読媒体８８０にまたは処理回路８７０内のメモリに記憶された命令を実行することができる。そのような機能は、本明細書に論考される様々な無線特徴、機能または利点のうちの任意のものを提供することを含むことができる。いくつかの実施形態では、処理回路８７０は、システムオンチップ（ＳＯＣ）を含むことができる。
【００８６】
いくつかの実施形態では、処理回路８７０は、無線周波数（ＲＦ）送受信機回路８７２およびベースバンド処理回路８７４のうちの１つまたは複数を含むことができる。いくつかの実施形態では、無線周波数（ＲＦ）送受信機回路８７２およびベースバンド処理回路８７４は、別個のチップ（またはチップセット）、基板、または無線ユニットおよびデジタルユニット等のユニット上に存在することができる。代替的な実施形態では、ＲＦ送受信機回路８７２およびベースバンド処理回路８７４の一部または全てが同じチップもしくはチップセット、ボード、またはユニット上に存在することができる。
【００８７】
特定の実施形態では、ネットワークノード、基地局、ｅＮＢまたは他のそのようなネットワークデバイスによって提供されるものとして本明細書に記載される機能のうちのいくつかまたは全ては、デバイス可読媒体８８０、または処理回路８７０内のメモリに記憶された命令を実行する処理回路８７０によって実行することができる。代替的な実施形態では、有線接続方式等で別個のまたは離散したデバイス可読媒体に記憶された命令を実行することなく、機能のうちのいくつかまたは全てが処理回路８７０によって提供されてもよい。これらの実施形態のうちの任意のものにおいて、デバイス可読ストレージ媒体上に記憶された命令を実行するか否かにかかわらず、処理回路８７０は、説明された機能を実行するように設定することができる。そのような機能によって提供される利点は、処理回路８７０単独に、またはネットワークノード８６０の他のコンポーネントに限定されるものではなく、ネットワークノード８６０によって全体として享受され、ならびに／またはエンドユーザおよび無線ネットワークによって全般に享受される。
【００８８】
デバイス可読媒体８８０は、限定ではないが、永続ストレージ、ソリッドステートメモリ、遠隔設置メモリ、磁気媒体、光媒体、ランダムアクセスメモリ（ＲＡＭ）、リードオンリーメモリ（ＲＯＭ）、マスストレージ媒体（例えば、ハードディスク）、リムーバブルストレージ媒体（例えば、フラッシュドライブ、コンパクトディスク（ＣＤ）またはデジタルビデオディスク（ＤＶＤ））、ならびに／または、処理回路８７０によって用いることができる情報、データおよび／もしくは命令を記憶する任意の他の揮発性もしくは不揮発性の非一時的デバイス可読および／もしくはコンピュータ実行可能メモリデバイスを含む、任意の形態の揮発性または不揮発性のコンピュータ可読メモリを含むことができる。デバイス可読媒体８８０は、ロジック、ルール、コード、テーブル等のうちの１つまたは複数を含むコンピュータプログラム、ソフトウェア、アプリケーションを含む任意の適切な命令、データもしくは情報、および／または処理回路８７０によって実行し、ネットワークノード８６０によって利用することが可能な他の命令を記憶することができる。デバイス可読媒体８８０を用いて、処理回路８７０によって行われる任意の計算および／またはインターフェース８９０を介して受信される任意のデータを記憶することができる。いくつかの実施形態では、処理回路８７０およびデバイス可読媒体８８０は、一体化されているとみなすことができる。
【００８９】
インターフェース８９０は、ネットワークノード８６０、ネットワーク８０６、および／またはＷＤ８１０間のシグナリングおよび／またはデータの有線または無線通信において用いられる。示されるように、インターフェース８９０は、例えば有線接続を通じてネットワーク８０６へおよびネットワーク８０６からデータを送受信するポート／端子１９４を含む。インターフェース８９０は、アンテナ８６２に、または特定の実施形態ではアンテナ８６２の一部に結合することができる無線フロントエンド回路８９２も含む。無線フロントエンド回路８９２は、フィルタ１９８および増幅器１９６を含む。無線フロントエンド回路８９２は、フィルタ１９８および増幅器１９６を含む。無線フロントエンド回路８９２は、アンテナ８６２および処理回路８７０に接続することができる。無線フロントエンド回路は、アンテナ８６２と処理回路８７０との間で通信される信号を調整するように設定することができる。無線フロントエンド回路８９２はデジタルデータを受信することができ、このデジタルデータは、他のネットワークノードまたはＷＤに無線接続を介して送出されることになる。無線フロントエンド回路８９２は、フィルタ１９８および／または増幅器１９６の組み合わせを用いて、デジタルデータを、適切なチャネルおよび帯域幅パラメータを有する無線信号に変換することができる。次に、無線信号は、アンテナ８６２を介して送信することができる。同様に、データを受信するとき、アンテナ８６２は無線信号を収集することができ、次に、これらの無線信号は、無線フロントエンド回路８９２によってデジタルデータに変換される。デジタルデータは処理回路８７０に渡すことができる。他の実施形態では、インターフェースは、異なる複数のコンポーネントおよび／またはコンポーネントの異なる組み合わせを含むことができる。
【００９０】
特定の代替的な実施形態では、ネットワークノード８６０は、別個の無線フロントエンド回路８９２を含まない場合があり、代わりに、処理回路８７０は無線フロントエンド回路を含んでもよく、別個の無線フロントエンド回路８９２を有することなくアンテナ８６２に接続されてもよい。同様に、いくつかの実施形態では、ＲＦ送受信機回路８７２のうちの全てまたはいくつかは、インターフェース８９０の一部とみなすことができる。更に他の実施形態では、インターフェース８９０は、無線ユニット（図示せず）の一部として、１つまたは複数のポートまたは端子１９４、無線フロントエンド回路８９２、およびＲＦ送受信機回路８７２を含むことができ、インターフェース８９０は、デジタルユニット（図示せず）の一部であるベースバンド処理回路８７４と通信することができる。
【００９１】
アンテナ８６２は、無線信号を送信および／または受信するように設定された、１つまたは複数のアンテナまたはアンテナアレイを含むことができる。アンテナ８６２は無線フロントエンド回路８９２に結合することができ、データおよび／または信号を無線で送信および受信することが可能な任意のタイプのアンテナとすることができる。いくつかの実施形態では、アンテナ８６２は、例えば、２ＧＨｚ〜６６ＧＨｚの無線信号を送信／受信するように動作可能な１つまたは複数の無指向性アンテナ、セクタアンテナまたはパネルアンテナを含むことができる。無指向性アンテナは、任意の方向において無線信号を送信／受信するのに用いることができ、セクタアンテナは、特定のエリア内のデバイスから無線信号を送信／受信するのに用いることができ、パネルアンテナは、比較的直線状の線において無線信号を送信／受信するのに用いられる見通し線アンテナとすることができる。いくつかの事例では、２つ以上のアンテナの使用は、ＭＩＭＯと呼ぶことができる。特定の実施形態では、アンテナ８６２は、ネットワークノード８６０と別個とすることができ、インターフェースまたはポートを通じてネットワークノード８６０に接続可能とすることができる。
【００９２】
アンテナ８６２、インターフェース８９０および／または処理回路８７０は、ネットワークノードによって実行されるものとして本明細書に記載される任意の受信動作および／または特定の取得動作を行うように設定することができる。任意の情報、データおよび／または信号は、無線デバイス、別のネットワークノードおよび／または任意の他のネットワーク機器から受信することができる。同様に、アンテナ８６２、インターフェース８９０および／または処理回路８７０は、ネットワークノードによって実行されるものとして本明細書に記載される任意の送信動作を行うように設定することができる。任意の情報、データおよび／または信号は、無線デバイス、別のネットワークノードおよび／または任意の他のネットワーク機器に送信することができる。
【００９３】
電力回路８８７は、電力管理回路を含むかまたはこれに結合することができ、ネットワークノード８６０のコンポーネントに、本明細書に記載の機能を実行するための電力を供給するように設定される。電力回路８８７は、電源８８６から電力を受信することができる。電源８８６および／または電力回路８８７は、それぞれのコンポーネントに適した形態で（例えば、各それぞれのコンポーネントに必要な電圧および電流レベルで）ネットワークノード８６０の様々なコンポーネントに電力を提供するように設定することができる。電源８８６は、電力回路８８７および／またはネットワークノード８６０に含まれてもよく、またはこれらの外部にあってもよい。例えば、ネットワークノード８６０は、入力回路、または電気ケーブル等のインターフェースを介して外部電源（例えば、電気アウトレット）に接続可能とすることができ、これによって外部電源は電力回路８８７に電源を供給する。更なる例として、電源８８６は、電力回路８８７に接続されるかまたは一体化されたバッテリまたはバッテリパックの形態の電源を含むことができる。バッテリは、外部電源が故障した場合のバックアップ電力を提供することができる。光起電デバイス等の他のタイプの電源も使用することができる。
【００９４】
ネットワークノード８６０の代替的な実施形態は、本明細書に記載の機能のうちの任意のものおよび／または本明細書に記載の主題をサポートするのに必要な任意の機能を含む、ネットワークノードの機能の特定の態様を提供する役割を果たすことができる、図８に示すもの以外の追加のコンポーネントを含んでもよい。例えば、ネットワークノード８６０は、ネットワークノード８６０への情報の入力を可能にし、ネットワークノード８６０からの情報の出力を可能にするユーザインターフェース機器を含むことができる。これは、ユーザが、ネットワークノード８６０のための診断、維持、修理および他の管理機能を実行することを可能にすることができる。
【００９５】
本明細書において用いられるとき、無線デバイス（ＷＤ）は、ネットワークノードおよび／または他の無線デバイスと無線で通信することが可能であり、そのように設定され、調整され、かつ／または動作可能なデバイスを指す。別段の記載がない限り、ＷＤという用語は、本明細書において、ユーザ機器（ＵＥ）と交換可能に用いることができる。無線で通信することは、電磁波、電波、赤外線波、および／または空中で情報を伝達するのに適した他のタイプの信号を用いて無線信号を送信および／または受信することを含むことができる。いくつかの実施形態では、ＷＤは、直接的な人間の対話を行うことなく情報を送信および／または受信するように設定することができる。例えば、ＷＤは、内部もしくは外部イベントによってトリガされたとき、またはネットワークからの要求に応じて、所定のスケジュールで情報をネットワークに送信するように設計することができる。ＷＤの例は、限定ではないが、スマートフォン、モバイルフォン、携帯電話、ボイスオーバーＩＰ（ＶｏＩＰ）電話、無線ローカルループフォン、デスクトップコンピュータ、携帯情報端末（ＰＤＡ）、無線カメラ、ゲームコンソールまたはデバイス、音楽ストレージデバイス、再生機器、ウェアラブル端末デバイス、無線エンドポイント、移動局、タブレット、ラップトップ、ラップトップ埋込み型機器（ＬＥＥ）、ラップトップ搭載型機器（ＬＭＥ）、スマートデバイス、無線顧客構内機器（ＣＰＥ）、車両搭載型無線端末デバイス等を含む。ＷＤは、例えば、サイドリンク通信、車両間（Ｖ２Ｖ）、車両対インフラストラクチャ（Ｖ２Ｉ）、車両対あらゆるもの（ｖｅｈｉｃｌｅ−ｔｏ−ｅｖｅｒｙｔｈｉｎｇ）（Ｖ２Ｘ）のための３ＧＰＰ規格を実施することによって、デバイスツーデバイス（Ｄ２Ｄ）通信をサポートすることができ、この場合、Ｄ２Ｄ通信デバイスと呼ぶことができる。更に別の特定の例として、モノのインターネット（ＩｏＴ）のシナリオにおいて、ＷＤは、監視および／または測定を行い、そのような監視および／または測定の結果を別のＷＤおよび／またはネットワークノードに送信するマシンまたは他のデバイスを表すことができる。ＷＤは、この場合、マシンツーマシン（Ｍ２Ｍ）デバイスである場合があり、３ＧＰＰとの関連において、ＭＴＣデバイスと呼ばれる場合もある。１つの特定の例として、ＷＤは、３ＧＰＰ狭帯域のモノのインターネット（ＮＢ−ＩｏＴ）規格を実施するＵＥとすることができる。そのようなマシンまたはデバイスの特定の例は、センサ、電力メータ等の計量デバイス、産業機械、または家庭用もしくは個人用電気機器（例えば、冷蔵庫、テレビ等）、個人用ウェアラブル（例えば、腕時計、フィットネストラッカ等）である。他のシナリオでは、ＷＤは、その動作ステータス、またはその動作に関連付けられた他の機能に関して監視および／または報告することが可能な車両または他の機器を表すことができる。上記で説明したＷＤは、無線接続のエンドポイントを表すことができ、この場合、デバイスは無線端末と呼ぶことができる。更に、上記で説明したようなＷＤはモバイルとすることができ、この場合、モバイルデバイスまたはモバイル端末と呼ばれる場合もある。
【００９６】
示すように、無線デバイス８１０は、アンテナ８１１と、インターフェース８１４と、処理回路８２０と、デバイス可読媒体８３０と、ユーザインターフェース機器８３２と、補助機器８３４と、電源８３６と、電力回路８３７とを含むことができる。ＷＤ８１０は、いくつか例を挙げると、例えば、ＧＳＭ、ＷＣＤＭＡ、ＬＴＥ、ＮＲ、ＷｉＦｉ、ＷｉＭＡＸまたはＢｌｕｅｔｏｏｔｈ無線技術等の、ＷＤ８１０によってサポートされる様々な無線技術について、示されるコンポーネントのうちの１つまたは複数の、複数のセットを含むことができる。これらの無線技術は、ＷＤ８１０内のコンポーネントと同じまたは異なるチップまたはチップセットに一体化することができる。
【００９７】
アンテナ８１１は、無線信号を送信および／または受信するように設定され、インターフェース８１４に接続された、１つまたは複数のアンテナまたはアンテナアレイを含むことができる。特定の代替的な実施形態において、アンテナ８１１は、ＷＤ８１０と別個にすることができ、インターフェースまたはポートを通じてＷＤ８１０に接続可能とすることができる。アンテナ８１１、インターフェース８１４および／または処理回路８２０は、本明細書においてＷＤによって実行されるものとして説明される任意の受信または送信動作を行うように設定することができる。任意の情報、データおよび／または信号を、ネットワークノードおよび／または別のＷＤから受信することができる。いくつかの実施形態では、無線フロントエンド回路および／またはアンテナ８１１はインターフェースとみなすことができる。
【００９８】
示されるように、インターフェース８１４は、無線フロントエンド回路８１２およびアンテナ８１１を含む。無線フロントエンド回路８１２は、１つまたは複数のフィルタ８１８および増幅器８１６を含む。無線フロントエンド回路８１２は、アンテナ８１１および処理回路８２０に接続され、アンテナ８１１と処理回路８２０との間で通信される信号を調整するように設定される。無線フロントエンド回路８１２は、アンテナ８１１に結合されてもよく、またはアンテナ８１１の一部であってもよい。いくつかの実施形態では、ＷＤ８１０は、別個の無線フロントエンド回路８１２を含まない場合があり、むしろ、処理回路８２０が無線フロントエンド回路を含む場合があり、アンテナ８１１に接続される場合がある。同様に、いくつかの実施形態では、ＲＦ送受信機回路８２２のうちのいくつかまたは全てをインターフェース８１４の一部とみなすことができる。無線フロントエンド回路８１２は、デジタルデータを受信することができ、このデジタルデータは、無線接続を介して他のネットワークノードまたはＷＤに送出されることになる。無線フロントエンド回路８１２は、フィルタ８１８および／または増幅器８１６の組み合わせを用いて、デジタルデータを、適切なチャネルおよび帯域幅パラメータを有する無線信号に変換することができる。次に、無線信号は、アンテナ８１１を介して送信することができる。同様に、データを受信するとき、アンテナ８１１は無線信号を収集することができ、次に、これらの無線信号は、無線フロントエンド回路８１２によってデジタルデータに変換される。デジタルデータは処理回路８２０に渡すことができる。他の実施形態では、インターフェースは、異なるコンポーネントおよび／またはコンポーネントの異なる組み合わせを含むことができる。
【００９９】
処理回路８２０は、マイクロプロセッサ、コントローラ、マイクロコントローラ、中央処理ユニット、デジタル信号プロセッサ、特定用途向け集積回路、フィールドプログラマブルゲートアレイ、もしくは任意の他の適切なコンピューティングデバイス、リソースのうちの１つまたは複数の組み合わせ、または、単独でもしくはデバイス可読媒体８３０等の他のＷＤ８１０コンポーネントと併せてＷＤ８１０機能を提供するように動作可能な、ハードウェア、ソフトウェアおよび／もしくは符号化ロジックの組み合わせを含むことができる。そのような機能は、本明細書に論考される様々な無線特徴または利点のうちの任意のものを提供することを含むことができる。例えば、処理回路８２０は、本明細書に開示される機能を提供するためにデバイス可読媒体８３０にまたは処理回路８２０内のメモリに記憶された命令を実行することができる。
【０１００】
示されるように、処理回路８２０は、ＲＦ送受信機回路８２２、ベースバンド処理回路８２４およびアプリケーション処理回路８２６のうちの１つまたは複数を含むことができる。他の実施形態では、処理回路は、異なる複数のコンポーネントおよび／またはコンポーネントの異なる組み合わせを含むことができる。特定の実施形態では、ＷＤ８１０の処理回路８２０は、ＳＯＣを含むことができる。いくつかの実施形態では、ＲＦ送受信機回路８２２、ベースバンド処理回路８２４およびアプリケーション処理回路８２６は、別個のチップまたはチップセット上にあってもよい。代替的な実施形態では、ベースバンド処理回路８２４およびアプリケーション処理回路８２６の一部または全てを組み合わせて１つのチップまたはチップセットにしてもよく、ＲＦ送受信機回路８２２は、別個のチップまたはチップセット上にあってもよい。更に代替的な実施形態では、ＲＦ送受信機回路８２２およびベースバンド処理回路８２４の一部または全てが同じチップまたはチップセット上にあってもよく、アプリケーション処理回路８２６は、別個のチップまたはチップセット上にあってもよい。更に他の代替的な実施形態では、ＲＦ送受信機回路８２２、ベースバンド処理回路８２４およびアプリケーション処理回路８２６の一部または全てが、同じチップまたはチップセットにおいて組み合わされていてもよい。いくつかの実施形態では、ＲＦ送受信機回路８２２は、インターフェース８１４の一部分とすることができる。ＲＦ送受信機回路８２２は、処理回路８２０のためのＲＦ信号を調整することができる。
【０１０１】
特定の実施形態において、ＷＤによって実行されるものとして本明細書において記載されている機能のうちのいくつかまたは全ては、デバイス可読媒体８３０上に記憶された命令を実行する処理回路８２０によって提供することができ、このデバイス可読媒体８３０は、特定の実施形態では、コンピュータ可読ストレージ媒体とすることができる。代替的な実施形態では、有線方式等で別個のまたは離散したデバイス可読ストレージ媒体上に記憶された命令を実行することなく、機能のうちのいくつかまたは全てが処理回路８２０によって提供されてもよい。これらの特定の実施形態のうちの任意のものにおいて、デバイス可読ストレージ媒体上に記憶された命令を実行するか否かにかかわらず、処理回路８２０は、説明された機能を実行するように設定することができる。そのような機能によって提供される利点は、処理回路８２０単独に、またはＷＤ８１０の他のコンポーネントに限定されるものではなく、ＷＤ８１０によって全体として享受され、ならびに／またはエンドユーザおよび無線ネットワークによって全般に享受される。
【０１０２】
処理回路８２０は、本明細書においてＷＤによって実行されるものとして記載された任意の決定、計算または類似の動作（例えば、特定の取得動作）を行うように設定することができる。処理回路８２０によって実行されるときのこれらの動作は、例えば、取得された情報を他の情報に変換し、取得された情報または変換された情報をＷＤ８１０によって記憶された情報と比較し、かつ／または取得された情報もしくは変換された情報に基づいて１つまたは複数の動作を実行し、前記処理の結果として決定を行うことによって、処理回路８２０によって取得される処理情報を含むことができる。
【０１０３】
デバイス可読媒体８３０は、ロジック、ルール、コード、テーブル等のうちの１つまたは複数を含むコンピュータプログラム、ソフトウェア、アプリケーション、および／または処理回路８２０によって実行することが可能な他の命令を記憶するように動作可能とことができる。デバイス可読媒体８３０は、コンピュータメモリ（例えば、ランダムアクセスメモリ（ＲＡＭ）またはリードオンリーメモリ（ＲＯＭ））、マスストレージ媒体（例えば、ハードディスク）、リムーバブルストレージ媒体（例えば、コンパクトディスク（ＣＤ）またはデジタルビデオディスク（ＤＶＤ））、ならびに／または、処理回路８２０によって用いることができる情報、データおよび／もしくは命令を記憶する任意の他の揮発性もしくは不揮発性の非一時的デバイス可読および／もしくはコンピュータ実行可能メモリデバイスを含むことができる。いくつかの実施形態では、処理回路８２０およびデバイス可読媒体８３０は、一体化されているとみなすことができる。
【０１０４】
ユーザインターフェース機器８３２は、人間のユーザがＷＤ８１０とインタラクトすることを可能にするコンポーネントを提供することができる。そのようなインタラクションは、視覚、聴覚、触覚等の多くの形態をとることができる。ユーザインターフェース機器８３２は、ユーザへの出力を生成し、ユーザがＷＤ８１０に入力を提供することを可能にするように動作可能であり得る。インタラクションのタイプは、ＷＤ８１０に設置されたユーザインターフェース機器８３２のタイプに依拠して変動する場合がある。例えば、ＷＤ８１０がスマートフォンである場合、インタラクションはタッチスクリーンを介したものであり得、ＷＤ８１０がスマートメータである場合、インタラクションは、使用量（例えば使用ガロン数）を提供するスクリーン、または可聴アラート（例えば煙が検出される場合）を提供するスピーカを通じたものであり得る。ユーザインターフェース機器８３２は、入力インターフェース、デバイスおよび回路と、出力インターフェース、デバイスおよび回路とを含むことができる。ユーザインターフェース機器８３２は、ＷＤ８１０への情報の入力を可能にするように設定され、処理回路８２０が入力情報を処理することを可能にするために処理回路８２０に接続される。ユーザインターフェース機器８３２は、例えば、マイクロフォン、近接性または他のセンサ、キー／ボタン、タッチディスプレイ、１つまたは複数のカメラ、ＵＳＢポートまたは他の入力回路を含むことができる。ユーザインターフェース機器８３２は、ＷＤ８１０からの情報の出力を可能にし、処理回路８２０がＷＤ８１０からの情報を出力することを可能にするようにも設定される。ユーザインターフェース機器８３２は、例えば、スピーカ、ディスプレイ、振動回路、ＵＳＢポート、ヘッドフォンインターフェースまたは他の出力回路を含むことができる。ユーザインターフェース機器８３２の１つまたは複数の入力および出力インターフェース、デバイスおよび回路を用いて、ＷＤ８１０は、エンドユーザおよび／または無線ネットワークと通信し、これらが本明細書に記載の機能から利益を受けることを可能にすることができる。
【０１０５】
補助機器８３４は、通常、ＷＤによって実行されない場合がある、より特殊な機能を提供するように動作可能である。これは、様々な目的で測定を行うための専用センサ、有線通信等の更なるタイプの通信のためのインターフェース等を含むことができる。補助機器８３４のコンポーネントを含めることおよびこのコンポーネントのタイプは、実施形態および／またはシナリオに依拠して変動し得る。
【０１０６】
電源８３６は、いくつかの実施形態では、バッテリまたはバッテリパックの形態をとる場合がある。外部電源（例えば、電気アウトレット）、光起電デバイス、または電池等の他のタイプの電源も用いることができる。ＷＤ８１０は、本明細書に記載されるかまたは示される任意の機能を実行するために電源８３６からの電力を必要とするＷＤ８１０の様々な部分に、電源８３６から電力を送達するための電力回路８３７も更に備えることができる。特定の実施形態では、電力回路８３７は、電力管理回路を含むことができる。電力回路８３７は、更にまたは代替的に、外部電源から電力を受け取るように動作可能とすることができ、その場合、ＷＤ８１０は、入力回路、または電力ケーブル等のインターフェースを介して外部電源（電気アウトレット等）に接続可能とすることができる。電力回路８３７は、特定の実施形態では、外部電源から電源８３６に電力を送達するように動作可能でもあり得る。これは、例えば、電源８３６の充電のためであり得る。電力回路８３７は、電源８３６からの電力に対し任意のフォーマット設定、変換または他の変更を行い、電力が供給されるＷＤ８１０のそれぞれのコンポーネントに適した電力を生成することができる。
【０１０７】
図９は、本明細書に記載の様々な態様によるＵＥの１つの実施形態を示す。本明細書において用いられるとき、ユーザ機器またはＵＥは、必ずしも、関連デバイスを所有および／または操作する人間のユーザの意味でのユーザを有しない場合がある。代わりに、ＵＥは、人間のユーザへの販売または人間のユーザによる動作が意図されているが、特定の人間のユーザに関連付けられていない場合があるか、または最初は関連付けられていないデバイス（例えば、スマートスプリンクラーコントローラ）を表す場合がある。代替的に、ＵＥは、エンドユーザへの販売またはエンドユーザによる動作が意図されていないが、ユーザの利益に関連し得るかまたはそのために動作し得るデバイス（例えば、スマートパワーメータ）を表す場合がある。ＵＥ９２００は、ＮＢ−ＩｏＴ  ＵＥ、マシンタイプ通信（ＭＴＣ）ＵＥ、および／または拡張型ＭＴＣ（ｅＭＴＣ）ＵＥを含む、第３世代パートナーシッププロジェクト（３ＧＰＰ）によって識別される任意のＵＥとすることができる。ＵＥ９００は、図９に示されているように、第３世代パートナーシッププロジェクト（３ＧＰＰ）のＧＳＭ、ＵＭＴＳ、ＬＴＥおよび／または５Ｇ規格等の、３ＧＰＰによって公布された１つまたは複数の通信規格に従う通信のために設定されたＷＤの１つの例である。上述したように、ＷＤおよびＵＥという用語は、交換可能に用いることができる。したがって、図９はＵＥであるが、本明細書において論考されるコンポーネントはＷＤに等しく適用可能であり、逆もまた同様である。
【０１０８】
図９において、ＵＥ９００は、入出力インターフェース９０５、無線周波数（ＲＦ）インターフェース９０９、ネットワーク接続インターフェース９１１、ランダムアクセスメモリ（ＲＡＭ）９１７、リードオンリーメモリ（ＲＯＭ）９１９およびストレージ媒体９２１等を含むメモリ９１５、通信サブシステム９３１、電源９１３および／もしくは任意の他のコンポーネント、またはこれらの任意の組み合わせに作動的に連結される処理回路９０１を含む。ストレージ媒体９２１は、オペレーティングシステム９２３、アプリケーションプログラム９２５およびデータ９２７を含む。他の実施形態において、ストレージ媒体９２１は、他の類似のタイプの情報を含むことができる。特定のＵＥは、図９に示すコンポーネントの全て、またはコンポーネントのサブセットのみを利用することができる。コンポーネント間の統合レベルは、ＵＥ間で変動する場合がある。更に、特定のＵＥは、複数のプロセッサ、メモリ、送受信機、送信機、受信機等のコンポーネントの複数のインスタンスを含むことができる。
【０１０９】
図９において、処理回路９０１は、コンピュータ命令およびデータを処理するように設定することができる。処理回路９０１は、（例えば、ディスクリートロジック、ＦＰＧＡ、ＡＳＩＣ等における）１つまたは複数のハードウェア実施状態マシン等の、メモリ内のマシン可読コンピュータプログラムとして記憶されたマシン命令を実行するように動作可能な任意の連続状態マシン；適切なファームウェアと共にプログラマブルロジック；適切なソフトウェアと共に、マイクロプロセッサまたはデジタル信号プロセッサ（ＤＳＰ）等の１つまたは複数のプログラム内蔵方式汎用プロセッサ；または上記の任意の組み合わせを実施するように設定することができる。例えば、処理回路９０１は、２つの中央処理ユニット（ＣＰＵ）を含むことができる。データは、コンピュータによる使用に適した形態の情報とすることができる。
【０１１０】
示される実施形態において、入出力インターフェース９０５は、入力デバイス、出力デバイス、または入力および出力デバイスへの通信インターフェースを提供するように設定することができる。ＵＥ９００は、入出力インターフェース９０５を介して出力デバイスを用いるように設定することができる。出力デバイスは、入力デバイスと同じタイプのインターフェースポートを用いることができる。例えば、ＵＳＢポートを用いて、ＵＥ９００への入力およびＵＥ９００への出力を提供することができる。出力デバイスは、スピーカ、サウンドカード、ビデオカード、ディスプレイ、モニタ、プリンタ、アクチュエータ、エミッタ、スマートカード、別の出力デバイス、またはこれらの任意の組み合わせとすることができる。ＵＥ９００は、入力デバイスを用いて、入出力インターフェース９０５を介してユーザがＵＥ９００内に情報を捕捉することを可能にするように設定することができる。入力デバイスは、タッチセンシティブまたはプレゼンスセンシティブディスプレイ、カメラ（例えば、デジタルカメラ、デジタルビデオカメラ、ウェブカメラ等）、マイクロフォン、センサ、マウス、トラックボール、方向パッド、トラックパッド、スクロールホイール、スマートカード等を含むことができる。プレゼンスセンシティブディスプレイは、ユーザからの入力を検知する容量性または抵抗性タッチセンサを含むことができる。センサは、例えば、加速度計、ジャイロスコープ、傾きセンサ、力センサ、磁力計、光センサ、近接センサ、別の類似のセンサ、またはこれらの任意の組み合わせを含むことができる。例えば、入力デバイスは、加速度計、磁力計、デジタルカメラ、マイクロフォンおよび光センサを含むことができる。
【０１１１】
図９において、ＲＦインターフェース９０９は、送信機、受信機およびアンテナ等のＲＦコンポーネントへの通信インターフェースを提供するように設定することができる。ネットワーク接続インターフェース９１１は、ネットワーク９４３ａへの通信インターフェースを提供するように設定することができる。ネットワーク９４３ａは、ローカルエリアネットワーク（ＬＡＮ）、広域ネットワーク（ＷＡＮ）、コンピュータネットワーク、無線ネットワーク、電気通信ネットワーク、別の類似のネットワークまたはこれらの任意の組み合わせ等の有線および／または無線ネットワークを包含することができる。例えば、ネットワーク９４３ａはＷｉ−Ｆｉネットワークを含むことができる。ネットワーク接続インターフェース９１１は、Ｅｔｈｅｒｎｅｔ、ＴＣＰ／ＩＰ、ＳＯＮＥＴ、ＡＴＭ等の１つまたは複数の通信プロトコルに従って通信ネットワークを介して１つまたは複数の他のデバイスと通信するのに用いられる受信機および送信機インターフェースを含むように設定することができる。ネットワーク接続インターフェース９１１は、通信ネットワークリンク（例えば、光、電気等）に適切な受信機および送信機機能を実施することができる。送信機および受信機機能は、回路コンポーネント、ソフトウェアもしくはファームウェアを共有することができるか、または代替的に別個に実施されてもよい。
【０１１２】
ＲＡＭ９１７は、バス９０２を介して処理回路９０１とインターフェースし、オペレーティングシステム、アプリケーションプログラムおよびデバイスドライバ等のソフトウェアプログラムの実行中にデータまたはコンピュータ命令のストレージまたはキャッシュを提供するように設定することができる。ＲＯＭ９１９は、コンピュータ命令またはデータを処理回路９０１に提供するように設定することができる。例えば、ＲＯＭ９１９は、基本入力および出力（Ｉ／Ｏ）、スタートアップ、または不揮発性メモリに記憶されたキーボードからのキーストロークの受信等の基本システム機能のための不変低レベルシステムコードまたはデータを記憶するように設定することができる。ストレージ媒体９２１は、ＲＡＭ、ＲＯＭ、プログラマブルリードオンリーメモリ（ＰＲＯＭ）、消去可能プログラマブルリードオンリーメモリ（ＥＰＲＯＭ）、電気的消去可能プログラマブルリードオンリーメモリ（ＥＥＰＲＯＭ）、磁気ディスク、光ディスク、フロッピーディスク、ハードディスク、リムーバブルカートリッジまたはフラッシュドライブ等のメモリを含むように設定することができる。１つの例では、ストレージ媒体９２１は、オペレーティングシステム９２３、ウェブブラウザアプリケーション等のアプリケーションプログラム９２５、ウィジェットもしくはガジェットエンジンまたは別のアプリケーション、およびデータファイル９２７を含むように設定することができる。ストレージ媒体９２１は、ＵＥ９００による使用のために、多岐にわたる様々なオペレーティングシステム、またはオペレーティングシステムの組み合わせのうちの任意のものを記憶することができる。
【０１１３】
ストレージ媒体９２１は、独立ディスクの冗長アレイ（ＲＡＩＤ）、フロッピーディスク、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ）光ディスクドライブ、内部ハードディスクドライブ、ブルーレイ光ディスクドライブ、ホログラフィックデジタルデータストレージ（ＨＤＤＳ）光ディスクドライブ、外部ミニデュアルインラインメモリモジュール（ＤＩＭＭ）、同期ダイナミックランダムアクセスメモリ（ＳＤＲＡＭ）、外部マイクロＤＩＭＭ  ＳＤＲＡＭ、加入者アイデンティティモジュールまたはリムーバブルユーザアイデンティティ（ＳＩＭ／ＲＵ）モジュール等のスマートカードメモリ、他のメモリ、またはこれらの任意の組み合わせ等の複数の物理ドライブユニットを含むように設定することができる。ストレージ媒体９２１は、データをオフロードまたはアップロードするために、ＵＥ９００が、一時的メモリ媒体または非一時的メモリ媒体に記憶された、コンピュータ実行可能命令、アプリケーションプログラム等にアクセスすることを許可することができる。通信システムを利用するもの等の製造品を、ストレージ媒体９２１に有形に埋め込むことができる。ストレージ媒体は、デバイス可読媒体を含むことができる。
【０１１４】
図９において、処理回路９０１は、通信サブシステム９３１を用いてネットワーク９４３ｂと通信するように設定することができる。ネットワーク９４３ａおよびネットワーク９４３ｂは、１つまたは複数の同じネットワークまたは異なるネットワークとすることができる。通信サブシステム９３１は、ネットワーク９４３ｂと通信するのに用いられる１つまたは複数の送受信機を含むように設定することができる。例えば、通信サブシステム９３１は、ＩＥＥＥ８０２．２、ＣＤＭＡ、ＷＣＤＭＡ、ＧＳＭ、ＬＴＥ、ＵＴＲＡＮ、ＷｉＭａｘ等のような１つまたは複数の通信プロトコルに従って、無線アクセスネットワーク（ＲＡＮ）の別のＷＤ、ＵＥまたは基地局等の、無線通信が可能な別のデバイスの１つまたは複数のリモート送受信機と通信するのに用いられる１つまたは複数の送受信機を含むように設定することができる。各送受信機は、それぞれ、ＲＡＮリンクに適した送信機機能または受信機機能（例えば周波数配分等）を実施するための送信機９３３および／または受信機９３５を含むことができる。更に、各送受信機の送信機９３３および受信機９３５は、回路コンポーネント、ソフトウェアもしくはファームウェアを共有してもよく、または代替的に、別個に実施されてもよい。
【０１１５】
示される実施形態では、通信サブシステム９３１の通信機能は、データ通信、ボイス通信、マルチメディア通信、Ｂｌｕｅｔｏｏｔｈ等の短距離通信、近距離通信、位置を特定するためのグローバルポジショニングシステム（ＧＰＳ）の使用等の位置ベースの通信、別の同様の通信機能、またはこれらの任意の組み合わせを含むことができる。例えば、通信サブシステム９３１は、セルラ通信、Ｗｉ−Ｆｉ通信、Ｂｌｕｅｔｏｏｔｈ通信およびＧＰＳ通信を含むことができる。ネットワーク９４３ｂは、ローカルエリアネットワーク（ＬＡＮ）、広域ネットワーク（ＷＡＮ）、コンピュータネットワーク、無線ネットワーク、電気通信ネットワーク、別の同様のネットワーク、またはこれらの任意の組み合わせ等の有線および／または無線ネットワークを包含することができる。例えば、ネットワーク９４３ｂは、セルラネットワーク、Ｗｉ−Ｆｉネットワークおよび／または近距離場ネットワークとすることができる。電源９１３は、ＵＥ９００のコンポーネントに交流（ＡＣ）または直流（ＤＣ）電力を提供するように設定することができる。
【０１１６】
本明細書に記載の特徴、利点および／または機能は、ＵＥ９００のコンポーネントのうちの１つにおいて実施されてもよく、またはＵＥ９００の複数のコンポーネントにわたって分割されてもよい。更に、本明細書に記載の特徴、利点および／または機能は、ハードウェア、ソフトウェアまたはファームウェアの任意の組み合わせで実施することができる。１つの例では、通信サブシステム９３１は、本明細書に記載のコンポーネントのうちの任意のものを含むように設定することができる。更に、処理回路９０１は、バス９０２を通じて、そのようなコンポーネントのうちの任意のものと通信するように設定することができる。別の例では、そのようなコンポーネントのうちの任意のものは、処理回路９０１によって実行されると、本明細書に記載の対応する機能を実行するメモリに記憶されたプログラム命令によって表すことができる。別の例では、そのようなコンポーネントのうちの任意のものの機能は、処理回路９０１と通信サブシステム９３１との間で分割することができる。別の例では、そのようなコンポーネントのうちの任意のものの計算集約的でない機能をソフトウェアまたはファームウェアで実施し、計算集約的機能をハードウェアで実施することができる。
【０１１７】
図１０は、いくつかの実施形態によって実施される機能を仮想化することができる仮想化環境１０００を示す概略ブロック図である。この関連において、仮想化とは、ハードウェアプラットフォーム、ストレージデバイスおよびネットワーキングリソースを仮想化することを含むことができる装置またはデバイスの仮想バージョンの作成を意味する。本明細書において用いられるとき、仮想化は、ノード（例えば、仮想化された基地局または仮想化された無線アクセスノード）、またはデバイス（例えば、ＵＥ、無線デバイスまたは任意の他のタイプの通信デバイス）もしくはそのコンポーネントに適用することができ、機能のうちの少なくとも一部分が１つまたは複数の仮想コンポーネントとして（例えば、１つもしくは複数のネットワークにおいて１つもしくは複数の物理的処理ノード上で実行される、１つまたは複数のアプリケーション、コンポーネント、機能、仮想マシンまたはコンテナを介して）実施される実施態様に関する。
【０１１８】
いくつかの実施形態では、本明細書に記載の機能のうちのいくつかまたは全ては、ハードウェアノード１０３０のうちの１つまたは複数によってホストされる１つまたは複数の仮想環境１０００において実施される１つまたは複数の仮想マシンによって実行される仮想コンポーネントとして実施することができる。更に、仮想ノードが無線アクセスノードでないか、または無線接続性（例えばコアネットワークノード）を必要としない実施形態では、このとき、ネットワークノードは完全に仮想化することができる。
【０１１９】
機能は、本明細書に開示される実施形態のうちのいくつかの特徴、機能および／または利点のうちのいくつかを実施するように動作可能な１つまたは複数のアプリケーション１０２０（代替的に、ソフトウェアインスタンス、仮想機器、ネットワーク機能、仮想ノード、仮想ネットワーク機能等と呼ばれ得る）によって実施することができる。アプリケーション１０２０は、処理回路１０６０およびメモリ１０９０を含むハードウェア１０３０を提供する仮想化環境１０００において実行される。メモリ１０９０は、処理回路１０６０によって実行可能な命令１０９５を含み、これによって、アプリケーション１０２０は、本明細書に開示される特徴、利点および／または機能のうちの１つまたは複数を提供するように動作可能である。
【０１２０】
仮想化環境１０００は、民生（ＣＯＴＳ）プロセッサ、専用の特定用途向け集積回路（ＡＳＩＣ）、またはデジタルもしくはアナログハードウェアコンポーネントもしくは専用プロセッサを含む任意の他のタイプの処理回路とすることができる、１つまたは複数のプロセッサまたは処理回路１０６０のセットを含む汎用または専用ネットワークハードウェアデバイス１０３０を含む。各ハードウェアデバイスは、処理回路１０６０によって実行される命令１０９５またはソフトウェアを一時的に記憶するための非持続性メモリとすることができるメモリ１０９０−１を含むことができる。各ハードウェアデバイスは、物理的ネットワークインターフェース１０８０を含む、ネットワークインターフェースカードとしても知られる１つまたは複数のネットワークインターフェースコントローラ（ＮＩＣ）１０７０を含むことができる。各ハードウェアデバイスは、処理回路１０６０によって実行可能なソフトウェア１０９５および／または命令が記憶された非一時的持続性マシン可読ストレージ媒体１０９０−２も含むことができる。ソフトウェア１０９５は、１つまたは複数の仮想化層１０５０（ハイパーバイザとも呼ばれる）をインスタンス化するためのソフトウェア、仮想マシン１０４０を実行するためのソフトウェア、および本明細書に記載のいくつかの実施形態に関係して説明した機能、特徴および／または利点を実行することを可能にするソフトウェアを含む、任意のタイプのソフトウェアを含むことができる。
【０１２１】
仮想マシン１０４０は、仮想処理、仮想メモリ、仮想ネットワーキングまたはインターフェース、および仮想ストレージを含み、対応する仮想化層１０５０またはハイパーバイザによって実行することができる。仮想機器１０２０のインスタンスの異なる実施形態は、仮想マシン１０４０のうちの１つまたは複数において実施することができ、実施は、様々な方式で行うことができる。
【０１２２】
動作中、処理回路１０６０は、ハイパーバイザまたは仮想化層１０５０をインスタンス化するためのソフトウェア１０９５を実行し、これは場合によっては、仮想マシンモニタ（ＶＭＭ）と呼ばれる場合がある。仮想化層１０５０は、仮想マシン１０４０に対しネットワーキングハードウェアのように見える仮想オペレーティングプラットフォームを提示することができる。
【０１２３】
図１０に示すように、ハードウェア１０３０は、汎用または専用コンポーネントを有するスタンドアロンネットワークノードとすることができる。ハードウェア１０３０は、アンテナ１０２２５を含むことができ、仮想化を介していくつかの機能を実施することができる。代替的に、ハードウェア１０３０は、（例えば、データセンタまたは顧客構内機器（ＣＰＥ）におけるような）ハードウェアのより大きなクラスタの一部とすることができ、ここで、多くのハードウェアノードは協働し、管理およびオーケストレーション（ＭＡＮＯ）１０１００を介して管理される。ＭＡＮＯは、中でも、アプリケーション１０２０のライフサイクル管理を監督する。
【０１２４】
ハードウェアの仮想化は、いくつかの状況では、ネットワーク機能仮想化（ＮＦＶ）と呼ばれる。ＮＦＶを用いて、多くのネットワーク機器タイプを、業界標準の高容量サーバハードウェア、物理的スイッチおよび物理的ストレージに統合することができる。これは、データセンタおよび顧客構内機器内に配置することができる。
【０１２５】
ＮＦＶとの関連において、仮想マシン１０４０は、プログラムを、これらが物理的非仮想化マシン上で実行されているかのように実行する、物理的マシンのソフトウェア実施とすることができる。仮想マシン１０４０の各々、およびその仮想マシンを実行するハードウェア１０３０の一部は、その仮想マシンに専用のハードウェアであれ、かつ／またはこの仮想マシンによって、複数の仮想マシン１０４０のうちの他のものと共有されるハードウェアであれ、別個の仮想ネットワーク要素（ＶＮＥ）を形成する。
【０１２６】
更に、ＮＦＶとの関連において、仮想ネットワーク機能（ＶＮＦ）は、ハードウェアネットワーキングインフラストラクチャ１０３０の上位にある１つまたは複数の仮想マシン１０４０において実行される特定のネットワーク機能を扱う役割を果たし、図１０におけるアプリケーション１０２０に対応する。
【０１２７】
いくつかの実施形態では、各々が１つまたは複数の送信機１０２２０および１つまたは複数の受信機１０２１０を含む１つまたは複数の無線ユニット１０２００を、１つまたは複数のアンテナ１０２２５に結合することができる。無線ユニット１０２００は、１つまたは複数の適切なネットワークインターフェースを介してハードウェアノード１０３０と直接通信することができ、これを仮想コンポーネントと組み合わせて用いて、仮想ノードに、無線アクセスノードまたは基地局等の無線機能を提供することができる。
【０１２８】
いくつかの実施形態では、いくつかのシグナリングは、ハードウェアノード１０３０と無線ユニット１０２００との間の通信に代替的に用いられ得る制御システム１０２３０の使用により行うことができる。
【０１２９】
図１１を参照すると、一実施形態によれば、通信システムは、３ＧＰＰタイプのセルラネットワーク等の通信ネットワーク１１１０を含み、これは、無線アクセスネットワーク等のアクセスネットワーク１１１１と、コアネットワーク１１１４とを含む。アクセスネットワーク１１１１は、各々が対応するカバレッジエリア１１１３ａ、１１１３ｂ、１１１３ｃを定義する、ＮＢ、ｅＮＢ、ｇＮＢまたは他のタイプの無線アクセスポイント等の複数の基地局１１１２ａ、１１１２ｂ、１１１２ｃを含む。各基地局１１１２ａ、１１１２ｂ、１１１２ｃは、有線または無線接続１１１５を通じてコアネットワーク１１１４に接続可能である。カバレッジエリア１１１３ｃ内に位置する第１のＵＥ１１９１は、対応する基地局１１１２ｃに無線で接続されるか、またはこの基地局によってページングされるように設定される。カバレッジエリア１１１３ａ内の第２のＵＥ１１９２は、対応する基地局１１１２ａに無線で接続可能である。この例には複数のＵＥ１１９１、１１９２が示されているが、開示される実施形態は、単一のＵＥがカバレッジエリア内にある状況、または単一のＵＥが対応する基地局１１１２に接続している状況にも等しく適用可能である。
【０１３０】
通信ネットワーク１１１０自体がホストコンピュータ１１３０に接続される。これは、スタンドアロンサーバのハードウェアおよび／もしくはソフトウェア、クラウド実施サーバ、分散サーバにおいて、またはサーバファーム内の処理リソースとして具現化することができる。ホストコンピュータ１１３０は、サービスプロバイダの所有もしくは制御下にあってもよく、またはサービスプロバイダによってもしくはサービスプロバイダの代わりに動作してもよい。通信ネットワーク１１１０とホストコンピュータ１１３０との間の接続１１２１および１１２２は、コアネットワーク１１１４からホストコンピュータ１１３０に直接延びてもよく、またはオプションの中間ネットワーク１１２０を介してもよい。中間ネットワーク１１２０は、パブリックネットワーク、プライベートネットワーク、またはホストされたネットワークのうちの１つ、または２つ以上の組み合わせとすることができ、中間ネットワーク１１２０は、存在する場合、バックボーンネットワークまたはインターネットとすることができ、特に、中間ネットワーク１１２０は、２つ以上のサブネットワーク（図示せず）を含むことができる。
【０１３１】
図１１の通信システムは、全体として、接続されたＵＥ１１９１、１１９２とホストコンピュータ１１３０との間の接続性を可能にする。接続性は、オーバーザトップ（ＯＴＴ）接続１１５０として記載することができる。ホストコンピュータ１１３０および接続されたＵＥ１１９１、１１９２は、アクセスネットワーク１１１１、コアネットワーク１１１４、任意の中間ネットワーク１１２０、および可能な更なるインフラストラクチャ（図示せず）を仲介として用いて、ＯＴＴ接続１１５０を介してデータおよび／またはシグナリングを通信するように設定される。ＯＴＴ接続１１５０は、ＯＴＴ接続１１５０が通過する、参加している通信デバイスが、アップリンク通信およびダウンリンク通信のルーティングに気づかないという意味で、トランスペアレントであり得る。例えば、基地局１１１２は、ホストコンピュータ１１３０から発信されたデータが、接続されたＵＥ１１９１に転送される（例えば、ハンドオーバされる）、到来するダウンリンク通信の過去のルーティングに関して通知されないか、または通知される必要がない場合がある。同様に、基地局１１１２は、ＵＥ１１９１からホストコンピュータ１１３０に向けて発信される出力アップリンク通信の未来のルーティングを知る必要がない。
【０１３２】
ここで、一実施形態による、前の段落で検討された、ＵＥ、基地局およびホストコンピュータの例示的な実施態様が図１２を参照して説明される。通信システム１２００において、ホストコンピュータ１２１０は、通信システム１２００の異なる通信のインターフェースとの有線接続または無線接続をセットアップし維持するように設定された通信インターフェース１２１６を含むハードウェア１２１５を備える。ホストコンピュータ１２１０は、記憶および／または処理機能を有することができる処理回路１２１８を更に含む。特に、処理回路１２１８は、命令を実行するように適合された、１つまたは複数のプログラマブルプロセッサ、特定用途向け集積回路、フィールドプログラマブルゲートアレイまたはこれらの組み合わせ（図示せず）を含むことができる。ホストコンピュータ１２１０は、ホストコンピュータ１２１０に記憶されるかまたはホストコンピュータ１２１０によってアクセス可能であり、処理回路１２１８によって実行可能なソフトウェア１２１１を更に含む。ソフトウェア１２１１は、ホストアプリケーション１２１２を含む。ホストアプリケーション１２１２は、ＵＥ１２３０およびホストコンピュータ１２１０において終端するＯＴＴ接続１２５０を介して接続するＵＥ１２３０等のリモートユーザにサービスを提供するように動作可能であり得る。リモートユーザにサービスを提供する際、ホストアプリケーション１２１２は、ＯＴＴ接続１２５０を用いて送信されるユーザデータを提供することができる。
【０１３３】
通信システム１２００は、通信システムにおいて提供される基地局１２２０を更に含み、基地局１２２０は、この基地局がホストコンピュータ１２１０およびＵＥ１２３０と通信することを可能にするハードウェア１２２５を備える。ハードウェア１２２５は、通信システム１２００の異なる通信デバイスのインターフェースとの有線または無線接続をセットアップし、維持するための通信インターフェース１２２６と、基地局１２２０によってサービングされているカバレッジエリア（図１２に示さず）内に位置するＵＥ１２３０との少なくとも無線接続１２７０をセットアップし、維持するための無線インターフェース１２２７とを含むことができる。通信インターフェース１２２６は、ホストコンピュータ１２１０への接続１２６０を容易にするように設定することができる。接続１２６０は、直接であってもよく、または、通信システムのコアネットワーク（図１２に示さず）および／もしくは通信システム外の１つもしくは複数の中間ネットワークを通過してもよい。示される実施形態では、基地局１２２０のハードウェア１２２５は、処理回路１２２８を更に含み、処理回路１２２８は、命令を実行するように適合された、１つまたは複数のプログラマブルプロセッサ、特定用途向け集積回路、フィールドプログラマブルゲートアレイまたはこれらの組み合わせ（図示せず）を含むことができる。基地局１２２０は、内部に記憶されるか、または外部接続を介してアクセス可能なソフトウェア１２２１を更に有する。
【０１３４】
通信システム１２００は、既に参照したＵＥ１２３０を更に含む。そのハードウェア１２３５は、ＵＥ１２３０が現在位置しているカバレッジエリアをサービングする基地局との無線接続１２７０をセットアップし、維持するように設定された無線インターフェース１２３７を含むことができる。ＵＥ１２３０のハードウェア１２３５は、命令を実行するように適応された、１つまたは複数のプログラマブルプロセッサ、特定用途向け集積回路、フィールドプログラマブルゲートアレイまたはこれらの組み合わせ（図示せず）を含むことができる処理回路１２３８を更に含む。ＵＥ１２３０は、ＵＥ１２３０に記憶されるかまたはＵＥ１２３０によってアクセス可能であり、処理回路１２３８によって実行可能なソフトウェア１２３１を更に含む。ソフトウェア１２３１は、クライアントアプリケーション１２３２を含む。クライアントアプリケーション１２３２は、ホストコンピュータ１２１０のサポートにより、ＵＥ１２３０を介して人間または非人間ユーザにサービスを提供するように動作可能とすることができる。ホストコンピュータ１２１０において、実行中のホストアプリケーション１２１２は、ＵＥ１２３０およびホストコンピュータ１２１０において終端するＯＴＴ接続１２５０を介して実行中のクライアントアプリケーション１２３２と通信することができる。サービスをユーザに提供する際、クライアントアプリケーション１２３２は、ホストアプリケーション１２１２からの要求データを受信し、要求データに応答してユーザデータを提供することができる。ＯＴＴ接続１２５０は、要求データおよびユーザデータの双方を転送することができる。クライアントアプリケーション１２３２は、ユーザとインタラクトして、提供するユーザデータを生成することができる。
【０１３５】
図１２に示すホストコンピュータ１２１０、基地局１２２０およびＵＥ１２３０は、それぞれ、図１１のホストコンピュータ１１３０、基地局１１１２ａ、１１１２ｂ、１１１２ｃのうちの１つ、およびＵＥ１１９１、１１９２のうちの１つと類似しているかまたは同一である場合があることに留意されたい。すなわち、これらのエンティティの内部の機能は、図１２に示すとおりとすることができ、これと独立して、周囲のネットワークトポロジは図１１に示すものとすることができる。
【０１３６】
図１２において、ＯＴＴ接続１２５０は、任意の中間デバイスおよびこれらのデバイスを介したメッセージの厳密なルーティングへの明確な言及をすることなく、基地局１２２０を介したホストコンピュータ１２１０とＵＥ１２３０との間の通信を示すように抽象的に描かれている。ネットワークインフラストラクチャはルーティングを決定することができ、このルーティングは、ＵＥ１２３０から、もしくはホストコンピュータ１２１０を運用しているサービスプロバイダから、または双方から隠れるように設定することができる。ＯＴＴ接続１２５０がアクティブである間、ネットワークインフラストラクチャは、（例えば、負荷平衡の検討またはネットワークの再設定に基づいて）ルーティングを動的に変更する判定を更に行うことができる。
【０１３７】
ＵＥ１２３０と基地局１２２０との間の無線接続１２７０は、本開示全体を通じて説明される実施形態の教示に従う。様々な実施形態のうちの１つまたは複数が、ＯＴＴ接続１２５０を用いてＵＥ１２３０に提供されるＯＴＴサービスの性能を改善する。ＯＴＴ接続１２５０において、無線接続１２７０は最後のセグメントを形成する。より厳密には、これらの実施形態の教示は、データレートおよび／またはレイテンシを改善することができ、それによって、ユーザ待ち時間の低減、およびより良好な応答性等の利益を提供することができる。
【０１３８】
１つまたは複数の実施形態が改善するデータレート、レイテンシおよび他の要素を監視する目的で、測定手順が提供され得る。更に、測定結果の変動に応答して、ホストコンピュータ１２１０とＵＥ１２３０との間のＯＴＴ接続１２５０を再設定するためのオプションのネットワーク機能が存在してもよい。ＯＴＴ接続１２５０を再設定するための測定手順および／またはネットワーク機能は、ホストコンピュータ１２１０のソフトウェア１２１１およびハードウェア１２１５において、もしくはＵＥ１２３０のソフトウェア１２３１およびハードウェア１２３５において、または双方において実施することができる。実施形態において、センサ（図示せず）は、ＯＴＴ接続１２５０が通過する通信デバイスにおいて、またはこの通信デバイスと関連付けて展開することができ、センサは、上記で例示した監視量の値を供給することによって、またはソフトウェア１２１１、１２３１が監視量を計算もしくは推定することができる他の物理的量の値を供給することによって、測定手順に参加することができる。ＯＴＴ接続１２５０の再設定は、メッセージフォーマット、再送信設定、好ましいルーティング等を含むことができ、再設定は基地局１２２０に影響を与える必要がなく、基地局１２２０にとって未知または知覚不可能なものであってもよい。そのような手順および機能性は、当該技術分野において、既知であり得、実施することができる。特定の実施形態において、測定は、ホストコンピュータ１２１０による、スループット、伝播時間、レイテンシ等の測定を容易にする専有ＵＥシグナリングを含むことができる。測定は、ソフトウェア１２１１および１２３１が、伝播時間、エラー等を監視しながら、ＯＴＴ接続１２５０を用いて、メッセージ、特に空のまたは「ダミー」メッセージが送信されるようにすることで実施することができる。
【０１３９】
図１３は、１つの実施形態による、通信システムにおいて実施される方法を示すフローチャートである。通信システムは、図１１および図１２を参照して説明したものとすることができる、ホストコンピュータ、基地局およびＵＥを含む。本開示を単純にするために、このセクションには、図１３への図面参照のみが含まれる。ステップ１３１０において、ホストコンピュータはユーザデータを提供する。ステップ１３１０のサブステップ１３１１（オプションとすることができる）において、ホストコンピュータは、ホストアプリケーションを実行することによってユーザデータを提供する。ステップ１３２０において、ホストコンピュータは、ユーザデータをＵＥに搬送する送信を開始する。ステップ１３３０（オプションとすることができる）において、基地局は、本開示全体を通じて説明される実施形態に教示に従って、ホストコンピュータが開始した送信において搬送されたユーザデータをＵＥに送信する。ステップ１３４０（これもオプションとすることができる）において、ＵＥは、ホストコンピュータによって実行されるホストアプリケーションに従ってクライアントアプリケーションを実行する。
【０１４０】
図１４は、１つの実施形態による、通信システムにおいて実施される方法を示すフローチャートである。通信システムは、図１１および図１２を参照して説明したものであり得るホストコンピュータ、基地局およびＵＥを含む。本開示を単純にするために、図１４への図面参照のみがこのセクションに含まれる。本方法のステップ１４１０において、ホストコンピュータはユーザデータを提供する。オプションのサブステップ（図示せず）において、ホストコンピュータは、ホストアプリケーションを実行することによってユーザデータを提供する。ステップ１４２０において、ホストコンピュータは、ユーザデータをＵＥに搬送する送信を開始する。送信は、本開示全体を通じて説明される実施形態に教示に従って、基地局を通過することができる。ステップ１４３０（オプションとすることができる）において、ＵＥは、送信において搬送されたユーザデータを受信する。
【０１４１】
図１５は、１つの実施形態による、通信システムにおいて実施される方法を示すフローチャートである。通信システムは、図１１および図１２を参照して説明したものであり得るホストコンピュータ、基地局およびＵＥを含む。本開示を単純にするために、図１５への図面参照のみがこのセクションに含まれる。ステップ１５１０（オプションとすることができる）において、ＵＥは、ホストコンピュータによって提供された入力データを受信する。更にまたは代替的に、ステップ１５２０において、ＵＥはユーザデータを提供する。ステップ１５２０のサブステップ１５２１（オプションとすることができる）において、ＵＥは、クライアントアプリケーションを実行することによってユーザデータを提供する。ステップ１５１０のサブステップ１５１１（オプションとすることができる）において、ＵＥは、ホストコンピュータによって提供された受信した入力データに応答してユーザデータを提供するクライアントアプリケーションを実行する。ユーザデータを提供する際、実行されるクライアントアプリケーションは、ユーザから受信されるユーザ入力を更に検討することができる。ユーザデータが提供された特定の方式と無関係に、ＵＥは、サブステップ１５３０（オプションとすることができる）において、ホストコンピュータへのユーザデータの送信を開始する。方法のステップ１５４０において、ホストコンピュータは、本開示全体を通じて説明された実施形態の教示に従って、ＵＥから送信されたユーザデータを受信する。
【０１４２】
図１６は、１つの実施形態による、通信システムにおいて実施される方法を示すフローチャートである。通信システムは、図１１および図１２を参照して説明したものであり得るホストコンピュータ、基地局およびＵＥを含む。本開示を単純にするために、図１６への図面参照のみがこのセクションに含まれる。ステップ１６１０（オプションとすることができる）において、本開示全体を通じて説明された実施形態の教示に従って、基地局はＵＥからユーザデータを受信する。ステップ１６２０（オプションとすることができる）において、基地局は、受信したユーザデータのホストコンピュータへの送信を開始する。ステップ１６３０（オプションとすることができる）において、ホストコンピュータは、基地局によって開始された送信において搬送されるユーザデータを受信する。
【０１４３】
図１７は、特定の実施形態による方法を示し、上記の実施形態および例のうちの任意のものによれば、方法は、ステップ１７０２において、無線デバイス（例えば、無線デバイス８１０）が、ネットワークが時分割複信（ＴＤＤ）ネットワークであるか否か、ネットワークのキャリア周波数、およびネットワークがロングタームエボリューション（ＬＴＥ）ネットワークと共存しているか否かの指示を取得することにより開始する。
【０１４４】
上記の実施形態および例のうちの任意のものによれば、ステップ１７０４において、無線デバイスは、前のステップから取得された情報に基づいてＴＡオフセットを決定する。
【０１４５】
ステップ１７０６において、無線デバイスは、決定されたＴＡオフセットを用いてアップリンク送信を送信する。
【０１４６】
図１８は、無線ネットワーク（例えば、図８に示す無線ネットワーク）における装置１８００の概略ブロック図を示す。装置は、無線デバイスまたはネットワークノード（例えば、図８に示す無線デバイス８１０またはネットワークノード８６０）において実施することができる。装置１８００は、図１７を参照して説明した例示的な方法、および場合によっては本明細書に開示された任意の他のプロセスまたは方法を実行するように動作可能である。図１７の方法は、必ずしも装置１８００のみによって実行される必要がないことも理解されたい。本方法の少なくともいくつかの動作は、１つまたは複数の他のエンティティによって実行され得る。
【０１４７】
仮想装置１８００は、１つまたは複数のプロセッサまたはマイクロコントローラ、およびデジタル信号プロセッサ（ＤＳＰ）、デディケーテッドデジタルロジック等を含むことができる他のデジタルハードウェアを含むことができる処理回路部を備えることができる。処理回路部は、メモリに記憶されたプログラムコードを実行するように設定することができ、メモリは、リードオンリーメモリ（ＲＯＭ）、ランダムアクセスメモリ、キャッシュメモリ、フラッシュメモリデバイス、光ストレージデバイス等のような１つまたはいくつかのタイプのメモリを含むことができる。いくつかの実施形態では、メモリに記憶されるプログラムコードは、１つまたは複数の通信および／またはデータ通信プロトコル、ならびに本明細書に記載の技法のうちの１つまたは複数を実行するためのプログラム命令を含む。いくつかの実施態様では、処理回路部を用いて、受信ユニット１８０２、決定ユニット１８０４、および装置１８００の任意の他の適切なユニットに、本開示の１つまたは複数の実施形態による対応する機能を実行させることができる。
【０１４８】
図１８に示すように、装置１８００は、受信ユニット１８０２および決定ユニット１８０４を含む。上記の実施形態および例のうちの任意のものによれば、受信ユニットは、ＴＡオフセットに関してネットワークノードからシグナリングを受信するように設定される。上記の実施形態および例のうちの任意のものによれば、決定ユニット１８０４は、ＴＡオフセットを決定するように設定される。
【０１４９】
ユニットという用語は、エレクトロニクス、電気デバイスおよび／または電子デバイスの分野における従来の意味を有することができ、例えば、本明細書に記載されるような、電気および／または電子回路部、デバイス、モジュール、プロセッサ、メモリ、ソリッドステートロジックおよび／またはディスクリートデバイス、それぞれのタスク、プロシージャ、計算、出力および／または表示機能等を実行するためのコンピュータプログラムまたは命令、等を含むことができる。
【０１５０】
略記
以下の略記のうちの少なくともいくつかが本開示において用いられる場合がある。略記間に不一致がある場合、上記で用いられたものが優先されるべきである。以下に複数回列挙されている場合、最初のリスト化が任意の後続のリスト化に優先されるべきである。
１ｘＲＴＴ  ＣＤＭＡ２０００  １ｘ無線送信技術
３ＧＰＰ  第３世代パートナーシッププロジェクト
５Ｇ  第５世代
ＡＢＳ  オールモストブランクサブフレーム
ＡＲＱ  自動再送要求
ＡＷＧＮ  加算性白色ガウス雑音
ＢＣＣＨ  ブロードキャスト制御チャネル
ＢＣＨ  ブロードキャストチャネル
ＣＡ  キャリアアグリゲーション
ＣＣ  キャリアコンポーネント
ＣＣＣＨ  ＳＤＵ  共通制御チャネルＳＤＵ
ＣＤＭＡ  符号分割多元接続
ＣＧＩ  セルグローバル識別子
ＣＩＲ  チャネルインパルス応答
ＣＰ  サイクリックプレフィックス
ＣＰＩＣＨ  共通パイロットチャネル
ＣＰＩＣＨ  Ｅｃ／Ｎｏ  帯域内の電力密度で除算した、チップあたりのＣＰＩＣＨ受信エネルギー
ＣＱＩ  チャネル品質情報
Ｃ−ＲＮＴＩ  セルＲＮＴＩ
ＣＳＩ  チャネル状態情報
ＤＣＣＨ  デディケーテッド制御チャネル
ＤＬ  ダウンリンク
ＤＭ  復調
ＤＭＲＳ  復調参照信号
ＤＲＸ  不連続受信
ＤＴＸ  不連続送信
ＤＴＣＨ  デディケーテッドトラフィックチャネル
ＤＵＴ  被試験デバイス
Ｅ−ＣＩＤ  拡張セルＩＤ（測位方法）
Ｅ−ＳＭＬＣ  エボルブド−サービングモバイルロケーションセンタ
ＥＣＧＩ  エボルブドＣＧＩ
ｅＮＢ  Ｅ−ＵＴＲＡＮ  ＮｏｄｅＢ
ｅＰＤＣＣＨ  拡張物理ダウンリンク制御チャネル
Ｅ−ＳＭＬＣ  エボルブドサービングモバイルロケーションセンタ
Ｅ−ＵＴＲＡ  エボルブドＵＴＲＡ
Ｅ−ＵＴＲＡＮ  エボルブドＵＴＲＡＮ
ＦＤＤ  周波数分割複信（ＦＤＤ）
ＦＦＳ  今後の研究対象（Ｆｏｒ  Ｆｕｒｔｈｅｒ  Ｓｔｕｄｙ）
ＧＥＲＡＮ  ＧＳＭ  ＥＤＧＥ無線アクセスネットワーク
ｇＮＢ  ＮＲにおける基地局
ＧＮＳＳ  グローバルナビゲーション衛星システム
ＧＳＭ  モバイル通信のためのグローバルシステム
ＨＡＲＱ  ハイブリッド自動再送要求
ＨＯ  ハンドオーバ
ＨＳＰＡ  高速パケットアクセス
ＨＲＰＤ  高速パケットデータ
ＬＯＳ  視線
ＬＰＰ  ＬＴＥ測位プロトコル
ＬＴＥ  ロングタームエボリューション
ＭＡＣ  媒体アクセス制御
ＭＢＭＳ  マルチメディアブロードキャストマルチキャストサービス
ＭＢＳＦＮ  マルチメディアブロードキャストマルチキャストサービス単一周波数ネットワーク
ＭＢＳＦＮ  ＡＢＳ  ＭＢＳＦＮオールモストブランクサブフレーム
ＭＤＴ  ドライブテストの最小化
ＭＩＢ  マスタ情報ブロック
ＭＭＥ  モビリティ管理エンティティ
ＭＳＣ  移動交換局
ＮＰＤＣＣＨ  狭帯域物理ダウンリンク制御チャネル
ＮＲ  新無線
ＯＣＮＧ  ＯＦＤＭＡチャネルノイズ発生器
ＯＦＤＭ  直交周波数分割多重
ＯＦＤＭＡ  直交周波数分割多元接続
ＯＳＳ  オペレーションサポートシステム
ＯＴＤＯＡ  観測された到達時間差
Ｏ＆Ｍ  運用および整備
ＰＢＣＨ  物理ブロードキャストチャネル
Ｐ−ＣＣＰＣＨ  プライマリ共通制御物理チャネル
ＰＣｅｌｌ  プライマリセル
ＰＣＦＩＣＨ  物理制御フォーマットインジケータチャネル
ＰＤＣＣＨ  物理ダウンリンク制御チャネル
ＰＤＰ  プロファイル遅延プロファイル
ＰＤＳＣＨ  物理ダウンリンク共有チャネル
ＰＧＷ  パケットゲートウェイ
ＰＨＩＣＨ  物理ハイブリッド−ＡＲＱインジケータチャネル
ＰＬＭＮ  公衆陸上モバイルネットワーク
ＰＭＩ  プリコーダマトリクスインジケータ
ＰＲＡＣＨ  物理ランダムアクセスチャネル
ＰＲＳ  測位参照信号
ＰＳＳ  プライマリ同期信号
ＰＵＣＣＨ  物理アップリンク制御チャネル
ＰＵＳＣＨ  物理アップリンク共有チャネル
ＲＡＣＨ  ランダムアクセスチャネル
ＱＡＭ  直角位相振幅変調
ＲＡＮ  無線アクセスネットワーク
ＲＡＴ  無線アクセス技術
ＲＬＭ  無線リンク管理
ＲＮＣ  無線ネットワークコントローラ
ＲＮＬ  無線ネットワーク層
ＲＮＴＩ  無線ネットワーク一時識別子
ＲＲＣ  無線リソース制御
ＲＲＭ  無線リソース管理
ＲＳ  参照信号
ＲＳＣＰ  受信信号コード電力
ＲＳＲＰ  参照シンボル受信電力、または、参照信号受信電力
ＲＳＲＱ  参照信号受信品質、または、参照シンボル受信品質
ＲＳＳＩ  受信信号強度インジケータ
ＲＳＴＤ  参照信号時間差
ＳＣＨ  同期チャネル
ＳＣｅｌｌ  セカンダリセル
ＳＤＵ  サービスデータユニット
ＳＦＮ  システムフレーム番号
ＳＧＷ  サービングゲートウェイ
ＳＩ  システム情報
ＳＩＢ  システム情報ブロック
ＳＮＲ  信号対雑音比
ＳＯＮ  自己最適化ネットワーク
ＳＳ  同期信号
ＳＳＳ  セカンダリ同期信号
ＴＤＤ  時分割複信
ＴＤＯＡ  到達時間差
ＴＯＡ  到達時間
ＴＳＳ  ３次同期信号
ＴＴＩ  送信時間間隔
ＵＥ  ユーザ機器
ＵＬ  アップリンク
ＵＭＴＳ  ユニバーサルモバイル通信システム
ＵＳＩＭ  ユニバーサル加入者アイデンティティモジュール
ＵＴＤＯＡ  アップリンク到達時間差
ＵＴＲＡ  ユニバーサル陸上無線アクセス
ＵＴＲＡＮ  ユニバーサル陸上無線アクセスネットワーク
ＷＣＤＭＡ  ワイドＣＤＭＡ
ＷＬＡＮ  ワイドローカルエリアネットワーク
【図１】
2021503773.tif 000006
【図２】
2021503773.tif 000007
【図３】
2021503773.tif 000008
【図４】
2021503773.tif 000009
【図５】
2021503773.tif 000010
【図６】
2021503773.tif 000011
【図７】
2021503773.tif 000012
【図８】
2021503773.tif 000013
【図９】
2021503773.tif 000014
【図１０】
2021503773.tif 000015
【図１１】
2021503773.tif 000016
【図１２】
2021503773.tif 000017
【図１３】
2021503773.tif 000018
【図１４】
2021503773.tif 000019
【図１５】
2021503773.tif 000020
【図１６】
2021503773.tif 000021
【図１７】
2021503773.tif 000022
【図１８】
2021503773.tif 000023
【手続補正書】
【提出日】令和1年9月17日(2019.9.17)
【手続補正１】
【補正対象書類名】特許請求の範囲
【補正対象項目名】全文
【補正方法】変更
【補正の内容】
【特許請求の範囲】
【請求項１】
新無線（ＮＲ）ネットワークにおいてタイミングアドバンス（ＴＡ）オフセットを決定するために無線デバイスによって実行される方法であって、前記方法は、
ネットワークノードからのシグナリングによって、前記ＮＲネットワークのキャリア周波数がロングタームエボリューション（ＬＴＥ）ネットワークのキャリア周波数と共存しているか否かの指示を取得することと、
前記ＮＲネットワークの前記キャリア周波数が前記ＬＴＥネットワークのキャリア周波数と共存しているか否かに基づいて、アップリンク送信のためのＴＡオフセットを決定することと、
前記決定されたＴＡオフセットを用いてアップリンク送信を送信することと、
を含む、方法。
【請求項２】
前記ＴＡオフセットは、前記ＬＴＥネットワークの前記キャリア周波数と共存する前記ＮＲネットワークの前記キャリア周波数の周波数帯域の複信モードに依拠する、請求項１に記載の方法。
【請求項３】
前記複信モードは、周波数分割複信（ＦＤＤ）または時分割複信（ＴＤＤ）のうちの一方である、請求項２に記載の方法。
【請求項４】
前記シグナリングは、明示的なＴＡオフセット値を含み、
前記ＴＡオフセットを決定することは、前記受信した明示的なＴＡオフセット値を用いることを含む、請求項１に記載の方法。
【請求項５】
前記ＮＲネットワークの前記キャリア周波数はＴＤＤネットワークではなく、前記ＴＡオフセットはゼロに等しい、請求項１に記載の方法。
【請求項６】
前記ＮＲネットワークはＴＤＤネットワークであり、前記ＮＲネットワークの前記キャリア周波数は閾値未満であり、前記ＮＲネットワークはＬＴＥネットワークと共存しておらず、前記ＴＡオフセットは、０よりも大きい第１の値に等しい、請求項１に記載の方法。
【請求項７】
前記閾値は６ＧＨｚであり、前記ＴＡオフセットは１３μｓである、請求項６に記載の方法。
【請求項８】
前記ＮＲネットワークはＴＤＤネットワークであり、前記ＮＲネットワークの前記キャリア周波数は閾値を上回っており、前記ＮＲネットワークはＬＴＥネットワークと共存しておらず、前記ＴＡオフセットは、０よりも大きい第２の値に等しい、請求項１に記載の方法。
【請求項９】
前記ＮＲネットワークはＴＤＤネットワークであり、前記ＮＲネットワークの前記キャリア周波数は閾値を上回っており、前記ＮＲネットワークはＬＴＥネットワークと共存しており、前記ＴＡオフセットは、０よりも大きい第３の値に等しい、請求項１に記載の方法。
【請求項１０】
前記閾値は６ＧＨｚであり、前記ＴＡオフセットは２０μｓである、請求項９に記載の方法。
【請求項１１】
前記アップリンク送信は、前記ＮＲネットワークの前記キャリア周波数上でのセルへのランダムアクセスである、請求項１から１０のいずれか一項に記載の方法。
【請求項１２】
ＴＡオフセットは、アップリンク送信タイミングを、前記ＮＲネットワークの前記キャリア周波数に属するセルにおけるダウンリンク送信タイミングと関係付ける、請求項１から１０のいずれか一項に記載の方法。
【請求項１３】
新無線（ＮＲ）ネットワークにおいて無線デバイスにタイミングアドバンス（ＴＡ）オフセットをシグナリングするためにネットワークノードによって実行される方法であって、前記方法は、
前記ＮＲネットワークのキャリア周波数のためのタイミングアドバンス（ＴＡ）オフセットの指示を前記無線デバイスに送信することと、
前記指示されたＴＡオフセットを用いてアップリンク送信を受信することと、
を含む、方法。
【請求項１４】
前記ＴＡオフセットは、前記ＮＲネットワークの前記キャリア周波数がロングタームエボリューション（ＬＴＥ）ネットワークのキャリア周波数と共存しているか否かに依拠する、請求項１３に記載の方法。
【請求項１５】
前記ＴＡオフセットは、前記ＬＴＥネットワークの前記キャリア周波数と共存する前記ＮＲネットワークの前記キャリア周波数の周波数帯域の複信モードに依拠する、請求項１３または１４に記載の方法。
【請求項１６】
前記複信モードは、周波数分割複信（ＦＤＤ）および時分割複信（ＴＤＤ）のうちの一方である、請求項１５に記載の方法。
【請求項１７】
前記タイミングオフセットの前記指示は、時間量の明示的な指示を含む、請求項１３に記載の方法。
【請求項１８】
前記ＮＲネットワークはＴＤＤネットワークではなく、前記ＴＡオフセットはゼロに等しい、請求項１７に記載の方法。
【請求項１９】
前記ＮＲネットワークはＴＤＤネットワークであり、前記ＮＲネットワークの前記キャリア周波数は閾値未満であり、前記ＮＲネットワークはＬＴＥネットワークと共存しておらず、前記ＴＡオフセットは、０よりも大きい第１の値に等しい、請求項１７に記載の方法。
【請求項２０】
前記閾値は６ＧＨｚであり、前記ＴＡオフセットは１３μｓである、請求項１９に記載の方法。
【請求項２１】
前記ＮＲネットワークはＴＤＤネットワークであり、前記ＮＲネットワークの前記キャリア周波数は閾値を上回っており、前記ＮＲネットワークはＬＴＥネットワークと共存しておらず、前記ＴＡオフセットは、０よりも大きい第２の値に等しい、請求項１７に記載の方法。
【請求項２２】
前記閾値は６ＧＨｚであり、前記ＴＡオフセットは６μｓである、請求項２１に記載の方法。
【請求項２３】
前記ＮＲネットワークはＴＤＤネットワークであり、前記ＮＲネットワークの前記キャリア周波数は閾値を上回っており、前記ＮＲネットワークはＬＴＥネットワークと共存しており、前記ＴＡオフセットは、０よりも大きい第３の値に等しい、請求項１７に記載の方法。
【請求項２４】
前記閾値は６ＧＨｚであり、前記ＴＡオフセットは２０μｓである、請求項２３に記載の方法。
【請求項２５】
前記タイミングオフセットの前記指示は、前記ＮＲネットワークの前記キャリア周波数がＬＴＥネットワークと共存しているか否かの指示を含む、請求項１３に記載の方法。
【請求項２６】
ユーザデータを取得することと、
前記ユーザデータをホストコンピュータまたは無線デバイスに転送することを更に含む、請求項１３から２５のいずれか一項に記載の方法。
【請求項２７】
前記アップリンク送信は、前記ＮＲネットワークの前記キャリア周波数上でのセルへのランダムアクセスである、請求項１３から２６のいずれか一項に記載の方法。
【請求項２８】
ＴＡオフセットは、アップリンク送信タイミングを、前記ＮＲネットワークの前記キャリア周波数に属するセルにおけるダウンリンク送信タイミングと関係付ける、請求項１３から２７のいずれか一項に記載の方法。
【請求項２９】
新無線（ＮＲ）ネットワークにおいてタイミングアドバンス（ＴＡ）オフセットを決定するための無線デバイスであって、前記無線デバイスは、
処理回路であって、
ネットワークノードからのシグナリングを介して、前記ＮＲネットワークが時分割複信（ＴＤＤ）ネットワークであるか否か、前記ＮＲネットワークのキャリア周波数、および前記ＮＲネットワークがロングタームエボリューション（ＬＴＥ）ネットワークと共存しているか否かの指示を取得することと、
前記ＮＲネットワークがＴＤＤネットワークであるか否か、前記ＮＲネットワークの前記キャリア周波数、および前記ＮＲネットワークがＬＴＥネットワークと共存しているか否かに基づいて、アップリンク送信のためのＴＡオフセットを決定することと、
前記決定されたＴＡオフセットを用いてアップリンク送信を送信することと、
を含む動作を実行するように設定される、処理回路と、
前記無線デバイスに電力を供給するように設定された電力供給回路と、
を備える、無線デバイス。
【請求項３０】
前記シグナリングは明示的なＴＡオフセット値を含み、
前記ＴＡオフセットを決定することは、前記受信した明示的なＴＡオフセット値を用いることを含む、請求項２９に記載の無線デバイス。
【請求項３１】
前記ＮＲネットワークはＴＤＤネットワークではなく、前記ＴＡオフセットはゼロに等しい、請求項２９に記載の無線デバイス。
【請求項３２】
前記ＮＲネットワークはＴＤＤネットワークであり、前記ＮＲネットワークの前記キャリア周波数は閾値未満であり、前記ＮＲネットワークはＬＴＥネットワークと共存しておらず、前記ＴＡオフセットは、０よりも大きい第１の値に等しい、請求項２９に記載の無線デバイス。
【請求項３３】
前記閾値は６ＧＨｚであり、前記ＴＡオフセットは６μｓである、請求項３２に記載の無線デバイス。
【請求項３４】
前記ＮＲネットワークはＴＤＤネットワークであり、前記ＮＲネットワークの前記キャリア周波数は閾値を上回っており、前記ＮＲネットワークはＬＴＥネットワークと共存しておらず、前記ＴＡオフセットは、０よりも大きい第２の値に等しい、請求項２９に記載の無線デバイス。
【請求項３５】
前記閾値は６ＧＨｚであり、前記ＴＡオフセットは１３μｓである、請求項３４に記載の無線デバイス。
【請求項３６】
前記ＮＲネットワークはＴＤＤネットワークであり、前記ＮＲネットワークの前記キャリア周波数は閾値を上回っており、前記ＮＲネットワークはＬＴＥネットワークと共存しており、前記ＴＡオフセットは、０よりも大きい第３の値に等しい、請求項２９に記載の無線デバイス。
【請求項３７】
前記閾値は６ＧＨｚであり、前記ＴＡオフセットは２０μｓである、請求項３６に記載の無線デバイス。
【請求項３８】
前記動作は、
ユーザデータを、前記基地局を介してホストコンピュータに提供することを更に含む、請求項２９から３７のいずれか一項に記載の無線デバイス。
【請求項３９】
新無線（ＮＲ）ネットワークにおいて無線デバイスにタイミングアドバンス（ＴＡ）オフセットをシグナリングするための基地局であって、前記基地局は、
処理回路であって、
タイミングオフセットの指示を前記無線デバイスに送信することと、
前記指示されたタイミングオフセットを用いてアップリンク送信を受信することと、
を含む動作を実行するように設定された処理回路と、
前記無線デバイスに電力を供給するように設定された電力供給回路と、
を備える、基地局。
【請求項４０】
前記タイミングオフセットの前記指示は、時間量の明示的な指示を含む、請求項３９に記載の基地局。
【請求項４１】
前記ＮＲネットワークはＴＤＤネットワークではなく、前記ＴＡオフセットはゼロに等しい、請求項４０に記載の基地局。
【請求項４２】
前記ＮＲネットワークはＴＤＤネットワークであり、前記ＮＲネットワークのキャリア周波数は閾値未満であり、前記ＮＲネットワークはＬＴＥネットワークと共存しておらず、前記ＴＡオフセットは、０よりも大きい第１の値に等しい、請求項４０に記載の基地局。
【請求項４３】
前記閾値は６ＧＨｚであり、前記ＴＡオフセットは６μｓである、請求項４２に記載の基地局。
【請求項４４】
前記ＮＲネットワークはＴＤＤネットワークであり、前記ＮＲネットワークのキャリア周波数は閾値を上回っており、前記ＮＲネットワークはＬＴＥネットワークと共存しておらず、前記ＴＡオフセットは、０よりも大きい第２の値に等しい、請求項４０に記載の基地局。
【請求項４５】
前記閾値は６ＧＨｚであり、前記ＴＡオフセットは１３μｓである、請求項４４に記載の基地局。
【請求項４６】
前記ＮＲネットワークはＴＤＤネットワークであり、前記ＮＲネットワークのキャリア周波数は閾値を上回っており、前記ＮＲネットワークはＬＴＥネットワークと共存しており、前記ＴＡオフセットは、０よりも大きい第３の値に等しい、請求項４０に記載の基地局。
【請求項４７】
前記閾値は６ＧＨｚであり、前記ＴＡオフセットは２０μｓである、請求項４６に記載の基地局。
【請求項４８】
前記タイミングオフセットの前記指示は、前記ＮＲネットワークがＬＴＥネットワークと共存しているか否かの指示を含む、請求項３９に記載の基地局。
【請求項４９】
無線デバイスからユーザデータを取得することと、
前記ユーザデータをホストコンピュータに転送することと、
を更に含む、請求項３９から４８のいずれか一項に記載の基地局。
【国際調査報告】
2021503773.tif 000024
2021503773.tif 000025
2021503773.tif 000026